(57)【特許請求の範囲】
【請求項１】
遊技領域が形成された遊技盤と、
前記遊技領域の所定位置に設けられ、遊技球の入球が抽選の契機となる始動入賞口と、
前記始動入賞口への入球を契機として、当否抽選を実行する当否抽選手段と、
前記当否抽選の結果が大当りであった場合に、通常遊技より遊技者に有利な状態である特別遊技を実行する特別遊技制御手段と、
前記当否抽選の結果を示すための複数の予告演出からいずれかを前記当否抽選の結果に応じて選択する演出決定手段と、
前記選択された予告演出の表示を制御する演出表示制御手段と、を備え、
図柄の変動開始から前記図柄の確定停止までを本変動とし、当該本変動において、図柄を一時的に半停止状態とした後に再度前記図柄を変動させる擬似変動を一又は複数回実行可能に構成されており、
所定の演出表示を画面内に蓄積する蓄積演出を実行した後、蓄積した所定の演出表示に対応した予告演出を実行可能に構成されており、
前記擬似変動は、複数の図柄列のうちの或る図柄列にて特殊図柄が一時的に半停止状態となったことを契機として実行され、
本変動において一又は複数回の前記擬似変動を実行する場合、前記擬似変動における所定のタイミングにて前記蓄積演出を実行する場合もあれば、前記擬似変動における所定のタイミングにて前記蓄積演出を実行しない場合もあり、
前記或る図柄列以外の複数の図柄列に一時的に半停止状態となる図柄が互いに同一の図柄となる場合であっても、前記或る図柄列以外の複数の図柄列に一時的に半停止状態となる図柄が互いに同一とならない場合であっても、前記特殊図柄が前記或る図柄列にて一時的に半停止状態になることにより、前記擬似変動を実行可能に構成されており、
或る本変動で実行される前記蓄積演出にて蓄積された所定の演出表示は、当該或る本変動にて表示可能であり、且つ当該或る本変動の次の本変動においても表示可能に構成されている弾球遊技機。
【発明の詳細な説明】
【技術分野】
【０００１】
弾球遊技機に関する。
【背景技術】
【０００２】
従来、各種の弾球遊技機のうち、いわゆる第１種ぱちんこ遊技機と呼ばれていた遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当りと呼ばれる特別遊技へと移行するものとして知られている（例えば、特許文献１参照）。表示領域における図柄の変動表示は、単に複数の図柄が変動表示されるだけでなく、いわゆるリーチ画面と呼ばれる状態のように、あと一つ図柄が揃えば大当りとなる状態で変動表示の時間を通常よりも長くする等、遊技者の期待感を高めるための演出が図られている。
【先行技術文献】
【特許文献】
【０００３】
【特許文献１】特開２００３−２３０７１４号公報
【発明の概要】
【発明が解決しようとする課題】
【０００４】
リーチ演出には長短様々なものがあり、一般には相対的に変動時間の短いリーチを「ノーマルリーチ」と称し、変動時間の長いリーチを「ロングリーチ」と称している。ロングリーチの中には、関連性のある演出が複数段階に発展することで大当りへの期待度を高めるスーパーリーチと呼ばれるものもある。しかしながら、段階的に発展するリーチ演出であっても、１つのリーチ演出を実行するだけであり、遊技者によっては単調に感じる場合がある。
【０００５】
本願発明は上記課題に鑑みたもので、図柄変動において遊技者の大当りへの期待感を高めることのできる遊技機を提供することを目的とする。
【課題を解決するための手段】
【０００６】
上記課題を解決するために、本発明のある態様の弾球遊技機は、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための当否抽選を実行する当否抽選手段と、当否抽選の結果が大当りであった場合に、特別遊技を実行する特別遊技制御手段と、当否抽選の結果を示すための図柄変動演出における演出の過程が定められた複数の演出パターンからいずれかを当否抽選の結果に応じて選択する演出決定手段と、１回の図柄変動において、大当りの期待度が相対的に高いことを示唆する高期待演出をその実行を待機させた状態で画面内に蓄積していき、その蓄積数を上限にした回数だけ高期待演出を実行することが定められた特殊演出パターンを含む複数の演出パターンを記憶するパターン記憶手段と、選択された演出パターンにしたがって演出表示を制御する演出表示制御手段と、を備える。
【０００７】
なお、以上の構成要素に関する任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【０００８】
本発明の弾球遊技機によれば、図柄変動において遊技者の大当りへの期待感を高めることのできる。
【図面の簡単な説明】
【０００９】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】当否判定テーブルを模式的に示す図である。
【図５】事前当否判定で参照される事前当否判定テーブルを模式的に示す図である。
【図６】図柄判定テーブルを模式的に示す図である。
【図７】事前図柄判定で参照される事前図柄判定テーブルを模式的に示す図である。
【図８】変動パターンテーブルを模式的に示す図である。
【図９】事前パターン判定で参照される事前パターン判定テーブルを模式的に示す図である。
【図１０】特殊演出パターンに定められる各データについて詳細に説明するための図である。
【図１１】外れ用の変動パターンテーブルを詳細に示す図である。
【図１２】特殊演出パターンの表示態様を説明するための図である。
【図１３】図１１の特殊演出パターンの続きの表示態様を説明するための図である。
【図１４】図１２の特殊演出パターンの続きの表示態様を説明するための図である。
【図１５】ぱちんこ遊技機における基本的な動作過程を示すフローチャートである。
【図１６】図１５におけるＳ１０の入賞処理を詳細に示すフローチャートである。
【図１７】図１６におけるＳ２８の事前判定処理を詳細に示すフローチャートである。
【図１８】図１５におけるＳ１４の通常遊技制御処理の全体的な過程を示すフローチャートである。
【図１９】図１８におけるＳ２５０の先読み処理を詳細に示すフローチャートである。
【図２０】図１８におけるＳ２５２の特別図柄変動処理を詳細に示すフローチャートである。
【図２１】図１８におけるＳ２５４の装飾図柄変動処理を詳細に示すフローチャートである。
【図２２】図２１におけるＳ２８５のリーチ演出決定処理を詳細に示すフローチャートである。
【図２３】図１５におけるＳ１６の特別遊技を詳細に示すフローチャートである。
【図２４】図２３におけるＳ１００の開放処理を詳細に示すフローチャートである。
【図２５】図２３におけるＳ１０２の閉鎖処理を詳細に示すフローチャートである。
【図２６】図１５におけるＳ１７の小当り遊技制御処理を詳細に示すフローチャートである。
【図２７】図２６におけるＳ１６０の開放処理を詳細に示すフローチャートである。
【図２８】図２６におけるＳ１６２の閉鎖処理を詳細に示すフローチャートである。
【図２９】特殊演出パターンの別の変動態様を説明するための図である。
【図３０】特殊演出パターンにおいて蓄積されたリーチ演出の変動時間について説明する図である。
【図３１】特殊演出パターンの他の変動態様を説明するための図である。
【発明を実施するための形態】
【００１０】
＜第１実施例＞
図１は、ぱちんこ遊技機の前面側における基本的な構造を示す。以下、弾球遊技機として従来にいういわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１１】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等をする機構を有する。下球皿１６は、遊技球の貯留、抜き取り等の機構を有する。上球皿１５と下球皿１６の間にはスピーカ１８が設けられており、後述する演出を制御する手段によって遊技状態などに応じた効果音が出力される。
【００１２】
遊技盤５０は、外レール５４と内レール５６により区画された遊技領域５２上に、アウト口５８、特別図柄表示装置６１、演出表示装置６０、始動入賞口（以下、「始動口」という）６２、センター飾り６４、大入賞口６６、作動口６８、一般入賞口７２を含む。さらに遊技領域５２には、図示しない複数の遊技釘や風車などの機構が設置される。
【００１３】
始動口６２は、遊技球の入球が当否抽選を実行する契機となる入球口であって、遊技球の入球を検出するための始動入賞検出装置７４と、始動口６２に設けられた拡開機構６３（いわゆる電動チューリップ）を拡開させるための普通電動役物ソレノイド７６を備える。拡開機構６３は、始動口６２の開口部上部に設けられた二つの羽根部材で構成され、閉鎖時は始動口６２の真上から落下する遊技球だけが入球できる程度の狭い開口幅となる。一方、拡開機構６３が拡開された開放時は始動口６２の開口幅が拡がることとなり、始動口６２の真上だけでなくその近傍を落下する遊技球も始動口６２へ誘導でき入球容易性が向上する。当否抽選は、通常遊技より遊技者に有利な状態である特別遊技へ移行するか否かを判定する抽選であり、始動口６２へ入球があるたびに実行される。始動入賞検出装置７４は、始動口６２への遊技球の入球を検出するセンサであり、入球時にその入球を示す始動入賞情報を生成する。
【００１４】
一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。
【００１５】
大入賞口６６は、遊技球の入球を検出するための入賞検出装置７８と、大入賞口６６を開放させるための大入賞口ソレノイド８０を備える。入賞検出装置７８は、大入賞口６６への遊技球の入球を検出するセンサであり、入球時にその入球を示す大入賞口入賞情報を生成する。大入賞口６６は、特別図柄１９２が所定の態様にて停止したときに開始される特別遊技において「大当り」として開放状態となる横長方形状の入賞口である。大入賞口６６は、例えばアウト口５８の上方等の位置に設けられる。大入賞口６６の設置個数としては、一つだけ設置する構成に限らず、複数個の大入賞口６６を設置してそれぞれを遊技状態等に応じて使い分ける構成としてもよい。大入賞口６６の入賞検出装置７８は、遊技球の通過を検出するセンサを備えて構成される。
【００１６】
遊技領域５２の左方に設けられた特別図柄表示装置６１および遊技領域５２の略中央に設けられた演出表示装置６０は、それぞれの画面に特別図柄１９２の変動と、特別図柄１９２に連動する装飾図柄１９０を含む演出画像の変動を表示する。以下、そうした表示を「図柄変動」または「変動表示」等という。
【００１７】
特別図柄表示装置６１は、例えば７セグメントＬＥＤで構成される表示装置である。特別図柄１９２は、始動口６２への遊技球の落入を契機として行われる抽選の結果に対応した図柄である。特別図柄１９２の変動表示が停止したときの図柄態様が、あらかじめ当りと定められた図柄であった場合に、その停止図柄が表示されたタイミングが大当り発生タイミングとなる。停止図柄は、図柄変動の終了時に表示すべき図柄である。本実施例においてセグメントの組合せで表される特別図柄１９２は、必ずしも文字や数字の体をなしておらず、７セグメントＬＥＤを構成する各セグメントの組合せで形成される一般に意味を持たない記号であってよい。これらの記号が高速で次々に入れ替わって特別図柄表示装置６１へ表示されることにより、特別図柄１９２の図柄変動表示が実現される。また、７セグメントＬＥＤは、「８の字」を形成する７個のセグメントおよび「ドット」を表す１個のセグメントからなる８個のセグメントで構成されてもよい。この場合、８個のセグメントを組み合わせることにより８ビット分の数値を表現できる。さらに、特別図柄表示装置６１を７セグメントＬＥＤではないＬＥＤドットアレーを用いて、その点灯パターンや点灯色の組合せで複数種類の特別図柄１９２を表現してもよい。
【００１８】
演出表示装置６０は、特別図柄１９２の変動表示と連動する形で装飾図柄１９０を変動表示する液晶ディスプレイで構成される表示装置である。装飾図柄１９０は、特別図柄１９２で示される抽選の結果表示を視覚的に演出するための図柄である。演出表示装置６０は、装飾図柄１９０として、例えばスロットマシンのゲームを模した複数列の図柄を変動させる動画像を画面の中央領域に表示する。本実施例においては、「０」〜「９」の数字で構成される図柄を３列に表示して変動させ、最終的に停止表示される３個の図柄組合せによって当りまたは外れを示す。装飾図柄１９０を構成する複数図柄のそれぞれは、色彩や模様の装飾が施された数字、文字、または記号で構成されるが、これら数字、文字、記号に対して全図柄に共通する絵柄または図柄ごとに異なる絵柄を加えて一体化させる形で構成されてもよい。この絵柄は、ぱちんこ遊技機１０の当該機種に設定された装飾または演出のテーマに関連するモチーフが描かれた絵柄であり、例えば人物や動物のキャラクターが描かれた絵柄であってもよい。装飾図柄１９０は、絵柄が一体的に含まれる図柄が変動表示される場合と、絵柄が分離して数字、文字、記号の部分のみが変動表示される場合とが、演出の展開に沿って切り替えられる構成であってもよい。装飾図柄１９０の変動表示の背景には、ぱちんこ遊技機１０の当該機種に設定された装飾または演出のテーマに関連する演出的効果を有する動画像が図柄変動と連動して表示される。
【００１９】
演出表示装置６０は、本実施例では液晶ディスプレイなどの高精細なドットマトリクス型表示装置で構成されるが、ドラム回転式などの機械的表示手段やＬＥＤマトリクス式などの表示手段で構成されてもよい。なお、特別図柄１９２は必ずしも演出的な役割をもつことを要しないため、本実施例では演出表示装置６０の左下方の特別図柄表示装置６１にて目立たない大きさで表示させる。ただし、特別図柄自体に演出的な役割をもたせることで装飾図柄を用いずに表現する手法を採用する場合には、特別図柄を７セグメントＬＥＤではなく液晶ディスプレイに表示させる構成としてもよい。
【００２０】
作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は拡開機構６３を拡開させるか否かを決定する開放抽選の契機となる。作動口６８を遊技球が通過すると、開放抽選の結果を示す図柄である普通図柄が普通図柄表示装置５９に変動表示される。したがって、開放抽選は「普通図柄抽選」とも呼ぶ。本実施例における普通図柄表示装置５９は、便宜上、二つのランプで構成されるとともに、それらのうちいずれのランプが点灯しているかによって普通図柄の表示状態が表現される。例えば、第１のランプの点灯が外れを示し、第２のランプが当りを示すとき、それらが交互に点灯と消灯を繰り返すことによって普通図柄の変動表示が表現され、最終的にいずれかの点灯状態にて停止されることで普通図柄の停止図柄が表現される。普通図柄表示装置５９は演出表示装置６０の右下方に設けられる。変動開始から所定時間の経過後に、普通図柄の変動表示が停止する。このとき、通常状態では例えば１／２５６程度の低確率にて普通図柄が当りの図柄で停止し、後述する入球容易状態では例えば２５０／２５６程度の高確率にて普通図柄が当りの図柄で停止する。普通図柄が当りの図柄で停止すると、拡開機構６３が所定時間拡開される。拡開機構６３の開放時間は、例えば通常状態では０．１秒間であり、入球容易状態では６秒間である。
【００２１】
演出表示装置６０の周囲には、センター飾り６４が設けられる。センター飾り６４は、遊技球の流路、演出表示装置６０の保護、装飾等の機能を有する。遊技領域５２の左下部には、特別図柄保留表示装置２０が設けられ、その対称位置である遊技領域５２の右下部には、普通図柄表示装置５９の下に普通図柄保留表示装置２２が設けられている。
【００２２】
特別図柄保留表示装置２０は、４個のランプからなり、その点灯個数によって当否抽選の保留数を表示する。当否抽選の保留数は、図柄変動中または特別遊技中に始動口６２へ入賞した抽選結果の個数であり、図柄変動がまだ実行されていない入賞球の数を示す。当否抽選の保留数が３個になると、遊技効率を高めるために外れの場合の図柄変動時間が通常より短縮される（以下、「短縮変動」ともいう）。同様に、当否抽選の保留数が４個になると、さらに遊技効率を高めるために外れの場合の図柄変動時間が上記３個の場合よりもさらに短縮される（以下、「超短縮変動」ともいう）。
【００２３】
普通図柄保留表示装置２２もまた４個のランプからなり、その点灯個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。
【００２４】
演出表示装置６０の上方および下方には、それぞれ遊技効果ランプ９０が設けられている。操作ボタン８２は、遊技者が遊技機へ所定の指示を入力するために操作する操作入力手段であり、その操作入力の内容に応じて演出内容等に変化が加えられる。操作ボタン８２は、上球皿１５近傍の外壁面に設けられる。本実施例における操作ボタン８２は一つのボタンで構成されるが、複数のボタンや十字キーなどの方向指示ボタンで構成されてもよい。可動役物１４０は、演出に連動して動作が制御される可動物であり、その動作によって演出的役割を果たす。例えば可動役物１４０は、遊技者による操作ボタン８２を介した操作入力に応じて動作する。
【００２５】
以上のような構成においてなされる遊技の方法および制御の流れを概説する。遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当りながらその当り方に応じた方向へ落下する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２６】
遊技球が始動口６２に落入すると、特別図柄表示装置６１および演出表示装置６０において特別図柄１９２および装飾図柄１９０が変動表示される。特別図柄１９２および装飾図柄１９０の変動表示は、表示に先だって決定された変動表示時間の経過後に停止される。特別図柄１９２は、その変動開始から停止までの変動態様が定められた変動パターンにしたがって変動表示される。装飾図柄１９０は、その変動開始から停止までの変動態様が定められた変動演出パターンにしたがって変動表示される。変動パターンおよび変動演出パターンはそれぞれ複数種ずつ用意され、それぞれが長短様々な変動時間をもつ。変動パターンにしたがって特別図柄１９２が変動表示される間、同じ変動時間をもつ変動演出パターンにしたがって装飾図柄１９０が変動表示される。変動パターンには、その図柄変動の終了条件としてパターンごとに変動表示時間が定められており、その変動表示時間の経過時に特別図柄１９２および装飾図柄１９０の変動が停止される。
【００２７】
装飾図柄１９０の変動表示としては、まず変動開始とともにスロットマシンのリール回転のように３列とも図柄を変動させ、変動終了タイミングへ近づいたときに一列ずつ停止させることで最終的な停止態様としての図柄組合せを表示する。停止時の特別図柄１９２および装飾図柄１９０が大当りを示す停止態様となった場合、通常遊技よりも遊技者に有利な遊技状態である特別遊技に移行し、大入賞口６６の開閉動作が開始される。大当りを示す装飾図柄１９０の停止態様は、例えば３つの図柄の種類が一致する組合せの態様である。
【００２８】
変動演出パターンには、通常外れ演出パターン、リーチ外れ演出パターン、リーチ大当り演出パターンが含まれる。通常外れ演出パターンは、通常の外れの図柄組合せを表示するときの演出パターンである。リーチ外れ演出パターンは、あと一つ図柄が揃えば大当りとなる状態であるリーチ状態を経て外れの図柄組合せを表示するときの演出パターンである。リーチ大当り演出パターンは、リーチ状態を経て大当りの図柄組合せを表示するときの演出パターンである。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「ロングリーチ」と称する。ロングリーチには、「スーパーリーチ」が含まれ、ロングリーチのすべてをスーパーリーチと称することもある。
【００２９】
特別遊技は、開始デモ時間と呼ばれる演出画面の表示によって開始される。開始デモ時間の画面表示後に大入賞口６６が開放され、その開放が約３０秒間続いた後、または９球以上の遊技球が落入した後で一旦閉鎖される。このような大入賞口６６の開放から閉鎖までが、基本的には単位遊技と呼ばれるが、１回の単位遊技の間に複数回の短時間の開放を繰り返す場合があってもよい。大入賞口６６の開閉ないし単位遊技が所定の複数回数、例えば１５回繰り返された後、終了デモ時間と呼ばれる演出画面の表示によって特別遊技が終了される。これに対し、当否抽選が小当りと呼ばれる結果に該当した場合は小当り遊技が実行される。小当りは、当否抽選の結果としては外れに含まれる結果である。小当り遊技は、一部の種類の特別遊技と類似の態様にて実行される単位遊技である。ただし、小当り遊技として実行される単位遊技は１回だけであり、複数回数の単位遊技が実行される特別遊技とは異なる。
【００３０】
特別遊技が終了した後の通常遊技においては特定遊技の一つである特別図柄１９２および装飾図柄１９０の変動時間短縮（以下、適宜「時短」という）が開始される。特別図柄１９２および装飾図柄１９０の時短は、特別図柄１９２および装飾図柄１９０の変動時間が通常状態よりも短縮される状態である。特別図柄１９２および装飾図柄１９０の変動時間は、所定の変動回数、例えば１００回の変動表示がなされた後で元の変動時間に戻されるが、その変動回数に達する前に大当りが発生すれば時短も終了する。時短により特別図柄１９２および装飾図柄１９０の変動時間が短縮されるため、通常の変動時間のまま図柄変動がなされる通常状態の場合と比べて、大当りが発生するまでの時間を短縮することができ、大当りの獲得容易性を相対的に高めることができる。
【００３１】
特別図柄１９２および装飾図柄１９０の時短中は、特定遊技の一つである入球容易状態が実施される。入球容易状態は、普通図柄の時短、開放抽選の確率変動、拡開機構６３の開放延長が実施されることにより始動口６２への入球容易性が高められる状態である。普通図柄の時短は、普通図柄の変動時間が通常状態より短縮される状態である。開放抽選の確率変動は、開放抽選の当り確率を通常状態より高める状態である。拡開機構６３の開放延長は、拡開機構６３の開放時間を通常状態よりも長くする状態である。このように、入球容易状態においては、一定時間あたりの普通図柄の変動回数が通常状態よりも増加する可能性が高まる上、始動口６２への入球容易性も増すため、始動口６２への入球数が増加する可能性も高い。したがって、特別図柄１９２および装飾図柄１９０の時短および入球容易状態により、その期間中は始動口６２への入球による賞球を得られる機会が増加する結果、持ち玉をほとんど減らさずに遊技し続けることが可能となる。
【００３２】
なお、本実施例における入球容易状態は、普通図柄の時短、開放抽選の確率変動、拡開機構６３の開放延長という３つの機能を用いて始動口６２への入球容易性を高める。ただし、変形例としては、これら３つの機能のうち、１つまたは２つの機能を用いて始動口６２への入球容易性を高める構成としてもよい。このように３つの機能のうち一部だけを用いても始動口６２への入球容易性を高めることは可能である。また、３つの機能のうち少なくともいずれかを、実施する期間と実施しない期間とで遊技状態に応じて切り替える構成としてもよい。
【００３３】
特別遊技が発生した場合であってそのときの当り停止図柄が特定の態様であった場合、特別遊技の終了後に特定遊技の一つである当否抽選の確率変動遊技（以下、適宜「確変」という）がさらに開始される。当否抽選の確変中は、通常の確率状態より当りの確率が高い当否抽選が行われ、比較的早期に新たな特別遊技が発生し得る。当否抽選の確変は次の大当りが発生するまで継続されるが、変形例として、所定の限定的な回数の図柄変動がなされたときに終了する構成であってもよい。本実施例においては、確変が開始されるときに同時に特別図柄１９２および装飾図柄１９０の時短や入球容易状態も開始されるが、変形例として時短や入球容易状態の開始を伴わない確変が実行される場合があってもよい。
【００３４】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御し、特に始動口６２へ入賞したときの抽選等、遊技動作全般を処理する。サブ基板１０４は、液晶ユニット４２を備え、演出表示装置６０における表示内容や複数の可動役物１４０の動作、遊技効果ランプ９０の点灯を制御し、特にメイン基板１０２による抽選結果に応じて表示内容を変動させ、その演出の進行に沿って可動役物１４０や遊技効果ランプ９０の点灯を作動させる。メイン基板１０２およびサブ基板１０４は、遊技制御装置１００を構成する。裏セット機構３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００３５】
図３は、本実施例におけるぱちんこ遊技機１０の機能ブロックを示す。ぱちんこ遊技機１０において、遊技制御装置１００は、始動口６２、大入賞口６６、一般入賞口７２、作動口６８、特別図柄表示装置６１、演出表示装置６０、普通図柄表示装置５９、操作ボタン８２、スピーカ１８、遊技効果ランプ９０、可動役物１４０のそれぞれと電気的に接続されており、各種制御信号の送受信を可能とする。遊技制御装置１００は、遊技の基本動作だけでなく、図柄変動表示や可動役物１４０、電飾等の演出的動作も制御する。遊技制御装置１００は、遊技の基本動作を含むぱちんこ遊技機１０の全体動作を制御するメイン基板１０２と、図柄の演出等を制御するサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００３６】
本実施例におけるメイン基板１０２は、入球判定手段１１０、当否抽選手段１１２、図柄決定手段１１４、変動パターン決定手段１１５、保留制御手段１１６、メイン表示制御手段１１８、特別遊技制御手段１２０、特定遊技実行手段１２２、開閉制御手段１２４を備える。本実施例におけるサブ基板１０４は、パターン記憶手段１３０、図柄態様決定手段１３１、演出決定手段１３２、演出表示制御手段１３４、役物制御手段１３６を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００３７】
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００３８】
入球判定手段１１０は、各入賞口への遊技球の入球を判定する。入球判定手段１１０は、始動入賞情報を受け取ると遊技球が始動口６２に入賞したと判断し、大入賞口入賞情報を受け取ると遊技球が大入賞口６６に入賞したと判断し、一般入賞情報を受け取ると遊技球が一般入賞口７２に入賞したと判断する。入球判定手段１１０は、通過情報を受け取ると遊技球が作動口６８を通過したと判断する。
【００３９】
当否抽選手段１１２は、始動口６２への入球を契機に、通常遊技より遊技者に有利な状態である特別遊技へ移行するか否かを判定するための乱数の値を当否抽選値として取得する。たとえば、当否抽選値は「０」から「６５５３５」までの値範囲から取得される。なお、本願にいう「乱数」は、数学的に発生させる乱数でなくてもよく、ハードウエア乱数やソフトウエア乱数などにより発生させる擬似乱数でもよい。当否抽選手段１１２が当否抽選値として取得する値は、保留制御手段１１６により一時的に保留される。ただし、所定の保留上限数を超えない範囲で当否抽選値が保留される。
【００４０】
当否抽選手段１１２は、当否判定で参照する当否テーブルを複数保持する。複数の当否テーブルには、大当り、小当り、外れの判定結果と当否抽選値とが対応付けられており、対応付けられた大当りの範囲設定に応じて当否確率が定まる。当否抽選手段１１２は、通常時には通常確率による当否テーブルを参照し、確率変動時には通常確率より当りの確率が高くなる当否テーブルを参照する。当否抽選手段１１２は、複数の当否テーブルのうちいずれかを参照し、当否抽選値が当りであるか否かを判定する。
【００４１】
当否抽選手段１１２は、遊技球が作動口６８を通過した場合に、普通図柄を決定するための開放抽選として抽選値を取得する。当否抽選手段１１２は、開放抽選の抽選値と当否結果の対応関係が定められた当否テーブルを保持し、その当否テーブルを参照して開放抽選の当否結果を決定する。通常状態においては１／２５６の確率で当りとなる当否テーブルを参照し、入球容易状態においては２５０／２５６の確率で当りとなる当否テーブルを参照する。普通図柄の抽選値は、保留制御手段１１６により一時的に保留される。ただし、保留制御手段１１６により保留される所定の保留上限数を超えない場合にだけ抽選値が保留される。
【００４２】
当否抽選手段１１２は、当否抽選値に基づき、特別遊技または小当り遊技へ移行するか否かを判定する当否判定と、当否抽選値が当否判定におけるいずれの抽選値範囲に該当するかの事前当否判定を実行する。当否抽選手段１１２は、当否判定で参照する当否判定テーブルと事前当否判定テーブルを保持する。なお、図柄変動を開始するにあたって実行する当否判定を、特に事前当否判定と区別するために、適宜「本判定としての当否判定」とも呼ぶ。
【００４３】
図４は、当否判定テーブルを模式的に示す図である。本図の当否判定テーブルには、大当り、小当り、外れの判定結果と当否抽選値とが対応付けられており、対応付けられたそれぞれの範囲設定に応じて大当り当否確率や小当りの当否確率が定まる。当否抽選手段１１２は、本判定としての当否判定において本図の当否判定テーブルを参照する。当否抽選手段１１２による当否抽選においては、通常時には図４（ａ）の通り、当否抽選値が０〜３９９の範囲に該当したときのみ大当りとなる。確変時には図４（ｂ）の通り、大当りの範囲が拡大され、当否抽選値が０〜３９９の範囲に該当する場合だけでなく、４００〜２９９９の範囲に該当する場合にも大当りとなる。このように、大当りに該当する範囲は遊技状態に応じて変化する。大当りに該当した場合、１５Ｒ大当りと２Ｒ大当りのいずれとなるか、および、確変を伴うか否かは、特別図柄の停止図柄に応じて別途決定される。なお、本図では単一の当否判定テーブルによって通常時と確変時の双方の大当り範囲を示したが、当否判定テーブルは通常時用と確変時用とで別個に用意してもよい。
【００４４】
本実施例においては、当否抽選値が大当り範囲に該当しない、いわゆる外れとなった場合であっても、所定の範囲に該当した場合には小当りとなる。本図の例では、当否抽選手段１１２が取得する当否抽選値が６５０００〜６５５３５の範囲に該当した場合に小当りとなる。このように、大当りに該当しなかった場合、本来はすべて「外れ」であるが、本図の例では大当りに該当しなかった場合のうち小当りにも該当しなかった場合の当否抽選値範囲を特に「外れ」と表現している。なお、本図では大当りか否かの判定テーブルと小当りか否かの判定テーブルとを単一の当否判定テーブルの形で実現する例を示したが、それぞれを別個のテーブルとして実現してもよい。
【００４５】
図３に戻り、当否抽選手段１１２による判定結果は、特別図柄表示装置６１において特別図柄のかたちで変動表示される。また、当否抽選手段１１２による判定結果を演出的に示す装飾図柄が演出表示装置６０において変動表示される。当否抽選手段１１２は、図柄変動を開始するタイミングにおいて、その図柄変動に対応する抽選の結果を図柄変動の制御コマンドとともに図柄態様決定手段１３１および演出決定手段１３２へ送信する。
【００４６】
当否抽選手段１１２は、始動口６２への入球タイミングにおいては、事前判定処理として抽選値が当否判定におけるいずれの抽選値範囲に該当するかの事前当否判定を実行し、その判定結果を抽選結果として図柄態様決定手段１３１および演出決定手段１３２へ送信する。事前判定処理の結果は一時的に保存された後、その抽選に対応する図柄変動表示が直ちに開始されるか否かにかかわらず図柄態様決定手段１３１および演出決定手段１３２へ送信される。そのため、サブ基板１０４の側にとっては図柄変動開始の順番が巡ってくる前にあらかじめ当否結果を推測的に認識できる、いわゆる「先読み」と呼ばれる処理が実現される。先読みの処理としては、後述するように当否判定、図柄判定、パターン判定の判定結果のすべての情報をサブ基板１０４に送信して先読み処理として使用する構成としてもよい。または、サブ基板１０４が、受信した情報のうち一つまたは二つの判定結果のみを使用する構成としてもよい。その他、確変や時短、入球容易状態などの遊技状態に応じて、受信した情報の使用有無や使用する情報の種類を決定してもよい。また、メイン基板１０２での処理として、遊技の状態に応じて、事前判定の可否、事前判定結果送信の有無、事前判定または事前判定結果送信を行なう情報の種類を適宜設定してもよい。
【００４７】
図５は、事前当否判定で参照される事前当否判定テーブルを模式的に示す図である。当否抽選手段１１２は、この事前当否判定テーブルを参照し、当否抽選値が「０〜３９９」の場合は大当りを示す「１」の値を判定結果としての当否範囲に設定する。当否抽選値が「４００〜２９９９」の場合は通常状態であれば外れであるが確変状態であれば大当りであることを示す「２」の値を判定結果としての当否範囲に設定する。当否抽選値が「３０００〜６４９９９」の場合は外れを示す「３」の値を判定結果としての当否範囲に設定する。当否抽選値が「６５０００〜６５５３５」の場合は小当りを示す「４」の値を判定結果としての当否範囲に設定する。当否抽選手段１１２は、以上のように当否範囲を設定するたびにその値を保留の個数とともに図柄態様決定手段１３１および演出決定手段１３２へ送信する。なお、変形例として、当否抽選値の範囲と判定結果の対応関係として、一つの当否抽選値の範囲に複数の判定結果が対応付けられる関係が定義されてもよい。この場合、実際の当否結果とは異なる判定結果となる可能性があるが、必ずしも実際の当否結果とは一致しない不正確な判定結果を意図的に設定することがある対応関係としてもよい。
【００４８】
図３に戻り、図柄決定手段１１４は、別途取得する図柄抽選値と当否判定の結果に基づいて、図柄の変動開始にあたってその停止図柄を決定するとともに、図柄抽選値がいずれの図柄範囲に該当するかの事前図柄判定を実行する。図柄決定手段１１４は、特別図柄の停止図柄を決定するために参照する複数の図柄判定テーブルと事前図柄判定テーブルを保持する。図柄決定手段１１４は、当否判定結果に応じて異なる図柄判定テーブルを参照する。なお、図柄変動を開始するにあたって実行する図柄判定を、特に事前図柄判定と区別するために、適宜「本判定としての図柄判定」とも呼ぶ。
【００４９】
図柄決定手段１１４は、普通図柄表示装置５９に表示させる普通図柄の停止図柄を、当否抽選手段１１２による開放抽選の結果に応じて決定する。図柄決定手段１１４は、開放抽選の結果を普通図柄のかたちで普通図柄表示装置５９に変動表示させるために、開放抽選の結果に応じて普通図柄の停止図柄を決定する。決定された停止図柄が所定の図柄となった場合に普通図柄が当りに該当したと判定され、その停止図柄にて普通図柄の変動表示が停止された後に開閉制御手段１２４が始動口６２の拡開機構６３を所定時間拡開する。
【００５０】
図柄決定手段１１４は、決定した停止図柄を示すデータをメイン表示制御手段１１８、図柄態様決定手段１３１、演出決定手段１３２へ送出する。
【００５１】
図６は、図柄判定テーブルを模式的に示す図である。図６（ａ）は当否判定結果が大当りであった場合に参照するテーブルであり、図６（ｂ）は当否判定結果が外れであった場合に参照するテーブルであり、図６（ｃ）は当否判定結果が小当りであった場合に参照するテーブルである。図柄決定手段１１４は、本判定としての図柄判定において本図の図柄判定テーブルを参照する。図柄判定テーブルには、特別図柄の種類を示す「０」〜「１０」の番号と図柄抽選値との対応関係が定められている。特別図柄の種類はそれぞれ大当り、小当り、外れの当否判定結果と対応付けられており、「０」〜「４」が大当りに対応し、「５」〜「９」が小当りに対応し、「１０」が外れに対応する。各種類には複数の特別図柄、すなわちセグメントの組合せで形成される一般に意味を持たない記号が複数割り当てられている。
【００５２】
図６（ａ）に示す通り、特別図柄の種類「０」〜「４」が大当りに対応付けられている。そのうち、種類「０」は確変を伴う１５Ｒ大当りを示し、図柄抽選値の範囲「０〜９９」に対応付けられる。種類「１」は確変を伴う２Ｒ大当りを示し、図柄抽選値の範囲「１００〜１４９」に対応付けられる。種類「２」〜「４」は確変を伴わない１５Ｒ大当りを示し、図柄抽選値の範囲「１５０〜１８９」に種類「２」が対応付けられ、「１９０〜２２９」に種類「３」が対応付けられ、「２３０〜２５５」に種類「４」が対応付けられる。このように図柄抽選値の範囲の大きさによって大当り種類ごとの選択確率が定まる。
【００５３】
図６（ｂ）に示す通り、種類「１０」は当否判定結果が外れの場合における全範囲の図柄抽選値に対応付けられている。
【００５４】
図６（ｃ）に示す通り、特別図柄の種類「５」〜「９」が小当りに対応付けられている。種類「５」は図柄抽選値の範囲「０〜４９」に対応付けられ、種類「６」は図柄抽選値の範囲「５０〜９９」に対応付けられる。種類「７」は図柄抽選値の範囲「１００〜１４９」に対応付けられ、種類「８」は図柄抽選値の範囲「１５０〜１９９」に対応付けられ、種類「９」は図柄抽選値の範囲「２００〜２５５」に対応付けられる。
【００５５】
図７は、事前図柄判定で参照される事前図柄判定テーブルを模式的に示す図である。図柄決定手段１１４は当否抽選値が大当りに該当する場合にこの事前図柄判定テーブルを参照する。図柄抽選値が「０〜９９」の場合はその旨を示す「１」の値を判定結果としての図柄範囲に設定し、図柄抽選値が「１００〜１４９」の場合はその旨を示す「２」の値を判定結果としての図柄範囲に設定する。図柄抽選値が「１５０〜２５５」の場合はその旨を示す「３」の値を判定結果としての図柄範囲に設定する。図柄決定手段１１４は、以上のように図柄範囲を設定するたびにその値を保留の個数とともに図柄態様決定手段１３１および演出決定手段１３２へ送信する。なお、当否抽選値が外れまたは小当りに該当する場合は本図のテーブルは参照せず、外れまたは小当りを示す値として例えば「４」の値を図柄範囲に設定してもよい。または、当否抽選値が外れまたは小当りに該当する場合でも本図のテーブルにより図柄範囲を設定し、のちにサブ基板１０４側で当否範囲の設定に基づいて判定結果を参酌すべきか判定してもよい。または、何も設定しないこととしてもよい。
【００５６】
図３に戻り、変動パターン決定手段１１５は、特別図柄表示装置６１および演出表示装置６０に表示させる図柄変動の表示過程が定められた変動パターンを、別途取得するパターン抽選値に基づいて複数の変動パターンの中から決定してメイン表示制御手段１１８へ送る。変動パターン決定手段１１５は、図柄変動を開始する際に変動パターンテーブルを参照してその図柄変動の変動パターンを決定する。また、変動パターン決定手段１１５は、パターン抽選値がいずれの変動パターン範囲に該当するかの事前パターン判定を実行する。変動パターン決定手段１１５は、変動パターンを決定するために参照する変動パターンテーブルと事前パターン判定テーブルを保持する。変動パターンには、特別図柄を変動表示させるときの変動開始から停止までの変動時間が定められており、その種類によって長短様々な変動時間をもつ。すなわち、各変動パターンには、その図柄変動の終了条件としてパターンごとに変動表示時間が定められており、その変動表示時間の経過時に特別図柄の変動が停止される。なお、図柄変動を開始するにあたって実行する変動パターン判定を、特に事前パターン判定と区別するために、適宜「本判定としての変動パターン判定」とも呼ぶ。
【００５７】
図８は、変動パターンテーブルを模式的に示す図である。変動パターン決定手段１１５は、本判定としての変動パターン判定において本図の変動パターンテーブルを参照する。変動パターン決定手段１１５は、当否判定結果が外れのときは図８（ａ）に示される外れ用の変動パターンテーブルを参照する。当否判定結果が１５Ｒ大当りのときは図８（ｂ）に示される１５Ｒ大当り用の変動パターンテーブルを参照する。当否判定結果が２Ｒ大当りまたは小当りのときは図８（ｃ）に示される２Ｒ大当りおよび小当り用の変動パターンテーブルを参照する。
【００５８】
図８（ａ）においては、パターン抽選値０〜１０には「スーパー１」というスーパーリーチが対応付けられ、パターン抽選値１１〜２０には「スーパー２」というスーパーリーチが対応付けられ、パターン抽選値２１〜３０には「スーパー３」というスーパーリーチが対応付けられている。パターン抽選値３１〜２５５には「ノーマル１」「ノーマル２」「リーチなし」のいずれかの変動パターンが対応付けられている。このように、当否判定結果が外れの場合、スーパーリーチ、ノーマルリーチ、リーチなしのいずれも選択される可能性がある。なお、外れ用の変動パターンテーブルにおいて、特に「リーチなし」の変動パターンを選択するとき、時短状態においては通常状態よりもさらに変動時間が概ね短い変動パターンが選択されるよう異なるテーブルを参照する。また、外れ用の変動パターンテーブルは保留数ごとに参照すべき欄が異なるように規定されるが、通常状態を例とするその詳細は後述する図１０において説明する。
【００５９】
図８（ｂ）においては、パターン抽選値０〜１２０には「スーパー１」のスーパーリーチが対応付けられ、パターン抽選値１２１〜２００には「スーパー２」のスーパーリーチが対応付けられ、パターン抽選値２０１〜２４０には「スーパー３」のスーパーリーチが対応付けられている。パターン抽選値２４１〜２５０には「ノーマル１」のリーチが対応付けられ、パターン抽選値２５１〜２５５には「ノーマル２」のリーチが対応付けられている。このように、当否判定結果が１５Ｒ大当りの場合はリーチ付きの変動パターンが選択される。
【００６０】
図８（ｃ）においては、パターン抽選値０〜１２２には「スーパー３」のスーパーリーチが対応付けられ、パターン抽選値１２３〜２５５には「ノーマル３」のノーマルリーチが対応付けられている。このように当否判定結果が２Ｒ大当りまたは小当りの場合は「スーパー３」または「ノーマル３」がそれぞれ約５０％の確率で選択される。
【００６１】
図９は、事前パターン判定で参照される事前パターン判定テーブルを模式的に示す図である。変動パターン決定手段１１５は、当否結果が外れの場合に図９（ａ）のテーブルを参照し、パターン抽選値が「０〜１０」の場合はその旨を示す「１」の値を判定結果としてのパターン範囲に設定する。パターン抽選値が「１１〜２０」の場合はその旨を示す「２」の値を判定結果としてのパターン範囲に設定する。パターン抽選値が「２１〜２５５」の場合はその旨を示す「３」の値を判定結果としてのパターン範囲に設定する。
【００６２】
変動パターン決定手段１１５は、当否結果が１５Ｒ大当りの場合に図９（ｂ）のテーブルを参照し、パターン抽選値が「０〜１２０」の場合はその旨を示す「４」の値を判定結果としてのパターン範囲に設定する。パターン抽選値が「１２１〜２４０」の場合はその旨を示す「５」の値を判定結果としてのパターン範囲に設定する。パターン抽選値が「２４１〜２５０」の場合はその旨を示す「６」の値を判定結果としてのパターン範囲に設定する。パターン抽選値が「２５１〜２５５」の場合はその旨を示す「７」の値を判定結果としてのパターン範囲に設定する。
【００６３】
変動パターン決定手段１１５は、当否結果が２Ｒ大当りまたは小当りの場合に図９（ｃ）のテーブルを参照し、パターン抽選値が「０〜１２２」の場合はその旨を示す「８」の値を判定結果としてのパターン範囲に設定する。パターン抽選値が「１２３〜２５５」の場合はその旨を示す「９」の値を判定結果としてのパターン範囲に設定する。変動パターン決定手段１１５は、以上のようにパターン範囲を設定するたびにその値を保留の個数とともに図柄態様決定手段１３１および演出決定手段１３２へ送信する。
【００６４】
図３に戻り、変動パターン決定手段１１５は、普通図柄の変動表示時間を決定する。通常状態においては変動表示時間を６０秒に決定し、入球容易状態においては変動表示時間を６秒に決定する。
【００６５】
保留制御手段１１６は、始動口６２へ新たな入球があって新たに当否抽選が実行されるときにそれ以前の入球ないし抽選に対応する図柄変動が表示されている場合、新たな入球に基づく当否抽選の結果をその抽選に対応する図柄の変動表示開始まで保留する。本実施例では当否抽選の結果として４個を上限として当否抽選値を保留球として保持する。ここでいう当否抽選値は、当否抽選値、図柄抽選値、変動パターン抽選値を含む。保留制御手段１１６は、事前判定結果としての当否範囲、図柄範囲、パターン範囲の設定を保留球としてさらに保持してもよい。ただし、当否抽選値とは別の領域に事前判定の結果を保持してもよい。保留制御手段１１６はさらに、当否抽選手段１１２により取得された普図抽選値を保留球として保持する。これらの保留数がそれぞれ特別図柄保留表示装置２０、普通図柄保留表示装置２２の点灯数または点滅数により表される。
【００６６】
メイン表示制御手段１１８は、当否抽選手段１１２による抽選の結果を、変動パターン決定手段１１５により決定された変動パターンにしたがって特別図柄１９２の変動表示として特別図柄表示装置６１に表示させる。メイン表示制御手段１１８は、それ以前になされた当否抽選に対応する図柄の変動表示が終了していることを新たな図柄変動の開始条件とする。メイン表示制御手段１１８は、特別図柄１９２の変動表示を開始するタイミングと停止するタイミングにて、変動開始コマンドと変動停止コマンドを演出表示制御手段１３４へ送信する。変動開始コマンドを送信するとき、本判定として判定された当否判定結果、停止図柄、変動パターンのそれぞれを示す値を変動開始コマンドとともに演出表示制御手段１３４へ送信する。変動停止コマンドを送信するとき、あらためて停止図柄を示す値を変動停止コマンドとともに演出表示制御手段１３４へ送信する。これにより、メイン表示制御手段１１８および演出表示制御手段１３４による変動表示が同期し、連動が保たれる。メイン表示制御手段１１８は、普通図柄抽選の結果を普通図柄の変動表示として普通図柄表示装置５９に表示させる。
【００６７】
特別遊技制御手段１２０は、当否抽選手段１１２による当否抽選が特別遊技への移行を示す結果となった場合、特別図柄１９２が所定の大当り態様で停止されたときに特別遊技作動条件が成立したと判定し、大入賞口６６を開放させることにより特別遊技を実行する。特別遊技は、大入賞口６６の開閉動作を複数回数連続して継続する遊技であり、１回の開閉を単位とした複数回の単位遊技で構成される。特別遊技には、単位遊技を１５回繰り返す１５Ｒ大当りと、１５Ｒ大当りより開放時間が短い単位遊技を２回だけ繰り返す２Ｒ大当りがある。１５Ｒ大当りにおいては、１回の単位遊技において大入賞口６６を原則として約３０秒間開放させる。２Ｒ大当りにおいては、１回の単位遊技において大入賞口６６を約０．５秒間だけ開放させる。特別遊技制御手段１２０は、単位遊技の設定ラウンド数を消化したときに特別遊技を終了させる。なお、２Ｒ大当りとなった場合においても、所定の条件を満たした場合には、１５Ｒ大当りと同様の開放態様で大入賞口６６を開放させてもよい。
【００６８】
特定遊技実行手段１２２は、確変状態、時短状態、および入球容易状態における通常遊技を制御する。特定遊技実行手段１２２は、特別遊技の終了後に遊技状態を時短状態および入球容易状態へ移行させる。一方、特別遊技の終了後に確変状態へ移行させるのは、図柄決定手段１１４により決定された図柄が確変への移行を伴う大当り図柄であった場合に限られる。時短状態および入球容易状態は、特別図柄１９２の変動表示回数が特別遊技の終了時点から数えて所定の終了条件回数、例えば１００回に達するまで継続される。ただし、同時に確変状態へ移行した場合は確変状態が続く限り時短状態および入球容易状態も継続される。すなわち、次の大当りが発生するまで継続される。このように時短状態および入球容易状態の終期は遊技状態に応じて定まる。時短状態においては、特別図柄１９２の変動表示時間が概ね短くなるよう、変動パターン決定手段１１５が変動時間の短い変動パターンを選択する。ただし、通常状態においては、保留制御手段１１６による当否抽選結果の保留数に応じた変動パターンテーブルを参照し、保留制御手段１１６による保留数が少なくなるほど変動時間の長い変動パターンが出現しやすくなる。入球容易状態においては、普通図柄の時短、普通図柄の確変、拡開機構６３の開放延長が実施される。一方、確変状態は、次の大当りによる特別遊技が実行されるまで継続される。確変状態の間は当否抽選手段１１２による当否判定結果が大当りとなる確率が高い値のまま維持される。
【００６９】
開閉制御手段１２４は、始動口６２の普通電動役物や大入賞口６６の開閉を制御する。開閉制御手段１２４は、普通図柄が特定の図柄で停止されると、普通電動役物ソレノイド７６に開放指示を送り、始動口６２を開放させる。また、開閉制御手段１２４は、特別遊技中、大入賞口ソレノイド８０に開放指示を送り、大入賞口６６を開放させる。
【００７０】
パターン記憶手段１３０は、装飾図柄１９０の変動において演出表示装置６０に表示させる演出的な画像内容とその表示過程が定められた複数の演出パターンを保持する。演出パターンには、装飾図柄１９０の変動表示における変動開始から停止までの変動過程と演出過程が定められた複数の変動演出パターンと、装飾図柄の変動表示とは別に表示されて大当りへの期待度の高さを変動表示の停止前に予告的に示唆する複数の予告演出パターンとが含まれる。
【００７１】
パターン記憶手段１３０は、１回の図柄変動において、大当りの期待度が相対的に高いことを示唆する高期待演出をその実行を待機させた状態で画面内に蓄積していき、その蓄積数を上限にした回数だけ高期待演出を実行することが定められた特殊演出パターンを保持する。特殊演出パターンは、変動演出パターンに含まれる一態様であり、複数種類ある。特殊演出パターンは、図８に示す特別図柄の変動パターンの「スーパー３」に対応する。
【００７２】
たとえば高期待演出は、あと一つ装飾図柄が揃えば大当りとなるリーチ演出である。リーチ演出は、左右の装飾図柄が停止して中装飾図柄１９０ｂが変動している演出内容である。期待度が相対的に高いとは、高期待演出を実行しない場合と比較して実行した方が高いことをいう。高期待演出の実行を待機させた状態で画面内に蓄積するとは、高期待演出を後で実行することを示唆する待機画像を演出表示装置６０に表示し、蓄積数が増すたびに待機画像の表示を追加することをいう。蓄積されるリーチ演出には、大当りの期待度が異なるリーチ演出の種類、および同じ種類のリーチ演出が選択される。ここで、蓄積されたリーチ演出の大当りの期待度とは、当否抽選の結果に対応する特別図柄の変動パターンが選択される確率にもとづき、当否抽選の結果が大当りとなる場合に各リーチ演出が選択される確率にもとづく。
【００７３】
待機画像は、具体例は後述するが、リーチ演出の種類を示し、蓄積された所定のリーチ演出の名称が表示される。また、待機画像は、大当りへの期待度が異なる態様で表示され、大当りへの期待度が最も高いグループのリーチ演出に対応する待機画像には３つの星印が表示され、最も低いグループのリーチ演出に対応する待機画像には１つの星印が表示される。
【００７４】
待機画像は、当該図柄変動において少なくとも１つの蓄積されたリーチ演出が実行されるまで、演出表示装置６０に表示したまま残される。たとえば特殊演出パターンにおいて、蓄積演出が実行されて所定のリーチ演出が蓄積された場合に、そのリーチ演出が表示途中の状態で待機画像として演出表示装置６０の画面内に残される。特殊演出パターンにおいてリーチ演出を１つ蓄積したことを示す演出を蓄積演出という。蓄積演出が実行された場合、蓄積されたリーチ演出に対応する待機画像が演出表示装置６０に表示される。
【００７５】
特殊演出パターンにおいて実行されるリーチ演出の種類は、後述する演出決定手段１３２によって特殊演出パターンを実行するごとに決定される。特殊演出パターンを実行することにより、リーチ演出が溜まっていく演出を遊技者に表示することで大当りへ移行する機会が増すように表示し、遊技者の大当りへの期待感を高めることができる。また、蓄積数を上限にした回数だけリーチ演出を実行することにより、１回の図柄変動においてリーチ演出を連続して実行することができ、たとえば１つ目のリーチ演出で大当りの表示がなくとも、次のリーチ演出へ遊技者の期待感を継続させることができる。
【００７６】
また、パターン記憶手段１３０は、装飾図柄を停止させたように表示する半停止状態に一時的にすることにより装飾図柄を擬似的に複数回変動表示させたように見せる複数回の個別変動演出を特別図柄の１回の変動表示の間に含む擬似連続変動演出パターン（以下、擬似連演出パターンという）を特殊演出パターンの一例として保持する。装飾図柄を「半停止状態にする」とは、装飾図柄が変動しているにもかかわらず所定個所においてあたかも停止したように表示させることをいう。例えば所定個所において装飾図柄を揺れているように変動させる場合など所定箇所付近において図柄を停留させるよう変動させる場合が、この「半停止状態」に含まれる。
【００７７】
第１実施例にいう擬似連演出パターンは、特殊演出パターンの実行中に実行される演出内容である。特殊演出パターンは、擬似連演出パターンの個別変動演出を実行するごとに高期待演出が１回蓄積される蓄積演出を実行する態様が定められる。特殊演出パターンでは、まず擬似連演出が実行されて、擬似連演出が継続するごとにリーチ演出が蓄積されることが示され、擬似連演出が終わると蓄積されたリーチ演出が実行される。これにより擬似連演出を実行するごとに高期待演出を表示する機会を増加させることができ、演出を多様にできる。
【００７８】
演出決定手段１３２は、当否抽選手段１１２から受け取る当否抽選の結果に応じて、演出表示制御手段１３４によって演出表示装置６０へ表示させる演出内容を決定する。演出決定手段１３２は、変動パターン決定手段１１５により決定された特別図柄の変動パターンに対応する複数の変動演出パターンデータからいずれかを選択してパターン記憶手段１３０から読み出し、その変動演出パターンの情報を演出表示制御手段１３４へ送る。演出決定手段１３２は、変動演出パターンを選択するために参照すべきパターンテーブルを保持する。
【００７９】
特別図柄の変動パターンに対応する装飾図柄の各変動演出パターンには、その図柄変動の終了条件としてパターンごとに変動時間が定められており、その変動時間の経過時に図柄変動が停止される。演出決定手段１３２は、特別図柄の変動パターンに応じて、変動時間が等しい演出画像の演出パターンを選択する。
【００８０】
また演出決定手段１３２は、当否抽選手段１１２から受け取る当否抽選の結果に応じて特殊演出パターンを演出パターンとして選択しうる。演出決定手段１３２は、特別図柄の変動パターンが「スーパー３」である場合に、複数種類の特殊演出パターンのうちいずれかの特殊演出パターンを選択する。演出決定手段１３２は、当否抽選の結果が２Ｒ大当りや小当りとなった場合、所定の確率で特殊演出パターンを選択してよい。
【００８１】
ここで、特殊演出パターンにおいて蓄積されるよう表示されるリーチ演出は、特殊演出パターンを実行するごとに選択される。演出決定手段１３２は、特殊演出パターンが決定された場合、特別図柄の変動パターンに定められた変動時間を取得し、その変動時間にもとづいてリーチ演出の蓄積数を決定する。次に演出決定手段１３２は、リーチ演出の蓄積数のうち、変動時間内で実行されるリーチ演出の実行数を決定し、実行するリーチ演出の実行時間を決定する。次に演出決定手段１３２は、リーチ演出の蓄積数、実行数および実行時間にもとづいて、リーチ演出の種類を選択する。具体的に図１０を参照して説明する。
【００８２】
図１０は、特殊演出パターンに定められるデータについて詳細に説明するための図である。特別図柄の変動パターンに定められた変動時間ｔ１、リーチ演出の蓄積数ａ、実行数ｂ、実行時間ｔ２として示す。演出決定手段１３２は、特殊演出パターンを選択して実行開始する前に、特殊演出パターンに用いる時間値として特別図柄の変動時間ｔ１＝１２０秒を取得し、図１０（ａ）に示すように、変動時間ｔ１にもとづいてリーチ演出の蓄積数ａを４つに決定する。蓄積数ａは１≦ａ≦４である。リーチ演出を蓄積する擬似連演出には１つ蓄積するごとに１５秒を使うため、１５秒×４の計６０秒を費やし、残りの時間値は６０秒となる。
【００８３】
次に、演出決定手段１３２は、当否抽選の結果、リーチ演出の蓄積数ａおよび残りの時間値６０秒を用いて、リーチ演出の実行数ｂを３つに決定する。リーチ演出の実行数ｂは、リーチ演出の蓄積数ａを上限とする値であり、１≦ｂ≦ａである。当否抽選の結果に大当りが含まれない場合、リーチ演出の実行数ｂは蓄積数ａと等しく、当否抽選の結果に大当りが含まれる場合、リーチ演出の実行数ｂは、蓄積数ａ以下である。
【００８４】
残りの時間値６０秒、リーチ演出の実行数ｂを３つに決定したため、演出決定手段１３２は、実行されるリーチ演出の実行時間ｔ２が６０／３で各２０秒であると算出する。つまり、ｔ１＝１５×ａ＋ｔ２×ｂとなる。演出決定手段１３２は、リーチ演出ｐ１〜ｐ４の種類を決定する。リーチ演出ｐ１、ｐ２、ｐ３の実行時間ｔ２は各２０秒である。そしてリーチ演出を選択する処理を終了する。演出表示制御手段１３４は、演出決定手段１３２に決定された内容にしたがって特殊演出パターンを表示する。
【００８５】
図１０（ｂ）では、変動時間ｔ１＝９０秒が選択されており、演出決定手段１３２はリーチ演出の蓄積数ａを３つに決定する。変動時間ｔ１が短ければ、小さい蓄積数ａが選択されやすくなる。３回継続する擬似連演出では、１５秒×３の計４５秒費やし、残りの時間は４５秒となる。演出決定手段１３２は、残りの変動時間および蓄積数ａにもとづいて実行数ｂを３つに決定する。この実行数ｂは、１≦ａ≦ｂの範囲で変更可能であり、たとえば、図１０（ｂ）に示すように、演出決定手段１３２は実行数ｂを２つに決定することも可能である。この場合、リーチ演出ｐ１の実行時間ｔ２１は１５秒、リーチ演出ｐ２の実行時間ｔ２２は２０秒に決定される。なお、蓄積したリーチ演出には、それぞれ固有の時間値（変動時間）が定められ、特殊演出パターンではなく通常のリーチ演出で実行される場合と同一の時間値が定めれてよい。または、蓄積したリーチ演出には、一律の時間値が定められ、一律の時間値に合わせて通常のリーチ演出の一部または全てを実行するように定められてよい。
【００８６】
このように、演出決定手段１３２が特殊演出パターンを実行するごとに蓄積するリーチ演出を選択することで、様々なリーチ演出を組み合わせた特殊演出パターンを実行することができ、演出を多様にできる。
【００８７】
図３に戻り、図柄態様決定手段１３１は、装飾図柄１９０の停止図柄の組合せとその配置を、当否抽選手段１１２による抽選の結果、特別図柄の停止図柄、特別図柄の変動パターン、装飾図柄の変動演出パターンに応じて決定する。図柄態様決定手段１３１は、決定した停止図柄の組合せを示す情報を演出表示制御手段１３４へ送信する。図柄態様決定手段１３１は、装飾図柄の停止図柄を決定するために参照すべき図柄範囲テーブルを保持する。
【００８８】
装飾図柄１９０の停止図柄は、３つの図柄の組合せとして形成され、例えば当否抽選手段１１２による当否判定結果が１５Ｒ大当りの特別遊技への移行を示す場合には特定の組合せ、例えば「７７７」や「１１１」のように３つの図柄が揃った組合せが選択される。当否判定結果が２Ｒ大当りの場合や小当りの場合もまた特定の組合せ、例えば「３５７」のような所定の組合せが選択されるが、それらの特定の組合せは必ずしも３つの図柄が揃った組合せでなくてもよい。当否判定結果が大当りでも小当りでもない場合は、「３１２」や「９４６」のように３つの図柄が揃っていない組合せであって、２Ｒ大当りや小当りのときに選択される特定の組合せに該当しない組合せが選択される。当否判定結果が１５Ｒ大当りではない場合であって、リーチ付きの外れを示す変動パターンが選択された場合は、「１９１」や「７２７」のように一つだけ図柄が揃っていない組合せを選択する。
【００８９】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当り態様にて停止する期待度が高いことを予告的に示唆する。例えば、キャラクタの画像を一つだけ画面に表示させるだけの通常予告演出や、多数のキャラクタの群れを画面の一端から他端へ通過させるように表示させる群予告演出がある。また、予告演出の表示過程を複数段階に分け、表示させる段階数を可変にして段階数が多いほど大当りへの期待度が高くなるように設定されるステップアップ予告演出がさらに含まれる。
【００９０】
予告演出パターンには、装飾図柄１９０の表示態様がリーチ状態となった後のタイミングで演出が実行されて図柄の最終的な停止態様を予告するパターンと、装飾図柄１９０が一つも停止していないタイミングで演出が実行されてリーチ状態となることを同時に予告するパターンとがある。
【００９１】
演出決定手段１３２は、当否抽選の結果に応じて演出表示装置６０に予告演出を表示させるか否かを所定の予告抽選により決定して事前演出設定をするとともに、表示させるべき予告演出パターンを決定する。演出決定手段１３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当りの場合は外れの場合よりも高い確率で予告演出を表示させるよう、当否抽選の結果と予告演出を表示するか否かの対応関係が定められる。これにより、予告演出が表示されること自体で大当りへの期待度の高さを示唆することができる。
【００９２】
演出表示制御手段１３４は、当否抽選手段１１２による当否抽選の結果として、選択された変動演出パターンデータにしたがって演出表示装置６０へ装飾図柄を含む演出画像を変動表示させる。演出表示制御手段１３４は、装飾図柄１９０の変動開始コマンドを受け取ったときに新たな図柄変動を開始させる。
【００９３】
演出表示制御手段１３４は、予告演出を表示させる旨が演出決定手段１３２により決定された場合、選択された予告演出パターンにしたがった予告演出を図柄変動の演出に重畳させる形で演出表示装置６０へ表示させる。演出表示制御手段１３４は、遊技効果ランプ９０の点灯および消灯や、スピーカ１８からの音声出力などの演出処理をさらに制御する。
【００９４】
役物制御手段１３６は、演出表示制御手段１３４から受け取る指示にしたがい、演出表示装置６０における演出内容や遊技効果ランプ９０の点滅過程に沿って、可動役物１４０を演出的に動作させる。
【００９５】
図１１は、外れ用の変動パターンテーブルを詳細に示す図である。本図の変動パターンテーブル２１０においては、保留数ごとにそれぞれ変動パターンに対応付けられたパターン抽選値の範囲が異なる。具体的には、保留数が少ないほど変動時間が相対的に長い変動パターンに割り当てられたパターン抽選値の範囲が広くされており、それら変動時間の長い変動パターンが選択される確率を高めている。そのため、保留制御手段１１６による保留数が少ないほど平均的な変動時間が長くなる。したがって、保留制御手段１１６による保留数が所定数、例えば１〜２個より少なくなった場合に、変動時間の長い変動パターンの選択確率が通常より高くなり、変動時間が比較的長くなりやすい。
【００９６】
第１欄２１２には、保留制御手段１１６による当否抽選の結果保留数が１の場合のパターン抽選値範囲と変動パターンとの対応関係が示される。同様に、第２欄２１４、第３欄２１６、第４欄２１８に、保留制御手段１１６による当否抽選の結果保留数がそれぞれ２、３、４の場合のパターン抽選値範囲と変動パターンとの対応関係が示される。すなわち、第１欄２１２、第２欄２１４、第３欄２１６、第４欄２１８が保留数ごとの変動パターンテーブルを示すと考えることができる。本図では、外れのときに選択され得る複数の変動パターンを変動時間別に５種類に分類した例を説明するが、実際にはそれらの分類ごとに複数の変動演出パターンが用意されており、全体で数十種類の変動演出パターンがその分類ごとの抽選値範囲に対応付けられていることに等しい。なお、本図の第２欄２１４、第３欄２１６、第４欄２１８の各パターン抽選値範囲の割合と第１欄２１２におけるパターン抽選値範囲の割合を比較するために、第１欄２１２のパターン抽選値範囲の割合を示す破線を第２欄２１４、第３欄２１６、第４欄２１８に描いている。
【００９７】
第１範囲２２２には、抽選値が０から１０までのパターン抽選値に該当する場合の変動パターンとして、第１欄２１２、第２欄２１４、第３欄２１６、第４欄２１８のいずれにも「スーパー１」というスーパーリーチの変動パターンが対応付けられる。第２範囲２２４には、抽選値が１１から２０までのパターン抽選値に該当する場合の変動パターンとして、第１欄２１２、第２欄２１４、第３欄２１６、第４欄２１８のいずれにも「スーパー２」というスーパーリーチの変動パターンが対応付けられる。このように、抽選値が０から１０までのパターン抽選値と抽選値が１１から２０までのパターン抽選値の場合には、保留数にかかわらず同じ変動時間の変動パターンが選択される。
【００９８】
第３範囲２２６には、抽選値が２１から２５５までのパターン抽選値に該当する場合の変動パターンとして、第１欄２１２、第２欄２１４、第３欄２１６、第４欄２１８にはそれぞれノーマルリーチである「ノーマル１」「ノーマル２」と「リーチなし外れ」の３種類の変動パターンが対応付けられる。ただし、それぞれの変動パターンが対応付けられるパターン抽選値の範囲は保留数によって異なる。第１欄２１２では、「ノーマル１」「ノーマル２」「リーチなし」のそれぞれが対応付けられる抽選値範囲の大きさがそれぞれほぼ等しく、２１から２５５をほぼ３等分した範囲が対応付けられている。これに対し、第２欄２１４では、「ノーマル１」「ノーマル２」のそれぞれに対応付けられる抽選値範囲の大きさが「リーチなし」に対応付けられる抽選値範囲より小さい。また、第３欄２１６および第４欄２１８では「ノーマル１」「ノーマル２」のそれぞれに対応付けられる抽選値範囲の大きさがさらに小さくなっている。
【００９９】
「ノーマル１」「ノーマル２」の変動時間は「リーチなし外れ」の変動時間より長くてもよく、また「リーチなし外れ」のときは時短状態のように変動時間が短縮される場合もあるため、上記の第３範囲２２６の設定内容に応じて平均的な変動時間が異なることとなる。保留数が０から１、２、３、４と多くなるにつれて「ノーマル１」および「ノーマル２」のパターン抽選値範囲は小さくなり、逆に「リーチなし外れ」のパターン抽選値範囲が大きくなる。したがって、保留数が多いほど平均的な変動時間は短くなり、逆に保留数が少ないほど平均的な変動時間は長くなる。このように保留数ごとにパターン抽選値範囲と変動パターンの対応関係が異なる変動パターンテーブルを用いることにより、保留数が少なくなったときに変動時間の長い変動パターンが選択されやすくなる制御を実現することができる。
【０１００】
第３欄２１６に対応付けられた「リーチなし外れ」の変動パターンは、第１欄２１２、第２欄２１４に対応付けられた「リーチなし外れ」よりも変動時間が短い、いわゆる「短縮変動」の変動パターンである。また、第４欄２１８に対応付けられた「リーチなし外れ」の変動パターンは、第１欄２１２、第２欄２１４に対応付けられた「リーチなし外れ」よりも変動時間が短く、第３欄２１６の「短縮変動」よりもさらに変動時間が短い、いわゆる「超短縮変動」の変動パターンである。
【０１０１】
図１２は、特殊演出パターンの表示態様を説明するための図である。また、図１３は、図１２の特殊演出パターンの続きの表示態様を説明するための図である。また、図１４は、図１３の特殊演出パターンの続きの表示態様を説明するための図である。図１２〜図１４の全図で、１回の当否抽選に対する図柄変動での演出パターンを示し、その態様を時系列順に示す。図１２〜図１４には、演出表示装置６０に形成された、左図柄表示領域１９１ａ、中図柄表示領域１９１ｂおよび右図柄表示領域１９１ｃが示される。左図柄表示領域１９１ａ、中図柄表示領域１９１ｂおよび右図柄表示領域１９１ｃにはそれぞれ左装飾図柄１９０ａ、中装飾図柄１９０ｂおよび右装飾図柄１９０ｃの変動および停止態様が示される。
【０１０２】
図１２（ａ）において、演出決定手段１３２により特殊演出パターンが選択され、図柄変動が開始して各装飾図柄１９０が変動している。次に図１２（ｂ）において、左装飾図柄１９０ａおよび右装飾図柄１９０ｃが半停止し、中装飾図柄１９０ｂが変動している。このとき、擬似連演出パターンが実行されており、中図柄表示領域１９１ｂに所定の図柄が半停止すれば擬似連演出が継続される。
【０１０３】
図１２（ｃ）において、擬似連演出の継続を示す菱形の図柄が中装飾図柄１９０ｂとして半停止することで、擬似連演出パターンにおける１回目の個別変動演出が実行される。この菱形の図柄は、擬似連演出の継続を示すとともに、リーチ演出が蓄積されたことを示す蓄積画像でもある。擬似連演出において蓄積画像が半停止したことにより、リーチ演出が蓄積されたことを画面内に残して表示する第１待機画像１９３ａが図柄変動の背景に表示される。第１待機画像１９３ａには、１つの星印が示されて大当りへの期待度がそれほど高くないことが示されるとともに、リーチ演出の種類も表示される。
【０１０４】
なお、蓄積画像は、中図柄表示領域１９１ｂで変動する装飾図柄のように動いて半停止する。蓄積画像は、特殊演出パターンでリーチ演出を蓄積した場合にのみ表示される。第１待機画像１９３ａを演出表示装置６０に表示することにより、リーチ演出の実行を待機させた状態で画面内に蓄積したことを示すことができる。中装飾図柄１９０ｂとして蓄積画像が半停止されたことで、擬似連演出が継続される。変形例では、蓄積画像は、所定の形状の絵柄であってよく、また所定の装飾図柄であってリーチ演出を蓄積しない場合に表示されてもよい。
【０１０５】
図１２（ｄ）において、各装飾図柄１９０が半停止状態から再び変動する。このとき第１待機画像１９３ａは表示されたままである。図１３（ａ）において、３つの装飾図柄１９０が揃った状態で回転する、いわゆる全回転の状態で変動する。図１３（ｂ）において、蓄積画像を含む各装飾図柄１９０が同時に半停止することで、１回の個別変動演出が実行されたとともに擬似連演出パターンが継続される。蓄積画像が半停止したことにより、リーチ演出が蓄積されたことを示す第２待機画像１９３ｂが図柄変動の背景に追加で表示され、遊技者は２つのリーチ演出が蓄積されたことを認識できる。これにより、リーチ演出が溜まっていく演出を遊技者に表示することで大当りの表示をする機会が増すように表示し、遊技者の大当りへの期待感を高めることができる。この例では第２待機画像１９３ｂは、第１待機画像１９３ａとは別の名称のリーチ演出が表示され、第１待機画像１９３ａとは異なる種類のリーチ演出が蓄積されたことを示す。なお、第１待機画像１９３ａと同じリーチ演出が表示される場合もある。
【０１０６】
第２待機画像１９３ｂには３つの星印が示され、大当りへの期待度が非常に高いことが示される。第１待機画像１９３ａに対応する第１のリーチ演出と、第２待機画像１９３ｂに対応する第２のリーチ演出は、大当りの期待度が異なる。つまり、特殊演出パターンは、リーチ演出の実行を待機させた状態において画面内に大当りの期待度が異なる複数種類のリーチ演出のうちいずれのリーチ演出であるか表示して蓄積していくことが定められる。これにより、大当りの期待度が相対的に高いリーチ演出が蓄積された場合に、遊技者の大当りへの期待感を高めることができる。変形例では、第１待機画像１９３ａに期待度２０％、第２待機画像１９３ｂに期待度５０％と大当りへの期待度を演出表示装置６０に明示してよい。
【０１０７】
図１３（ｃ）において、各装飾図柄１９０が半停止状態から再び変動する。このとき第１待機画像１９３ａおよび第２待機画像１９３ｂは表示されたままである。この例では４つ蓄積することが可能であり、最大で演出表示装置６０の画面内を４分割した表示領域のそれぞれに待機画像が表示されうる。
【０１０８】
図１３（ｄ）において、蓄積画像を含む各装飾図柄１９０が、並列して全回転の状態で変動し、各装飾図柄１９０が半停止すれば、さらにリーチ演出が蓄積されることになる。しかしながら図１４（ａ）において、同じ種類の左装飾図柄１９０ａおよび右装飾図柄１９０ｃが停止したものの、ともに変動していた中装飾図柄１９０ｂは停止せず、変動を継続している。これは、擬似連演出が継続せず終了し、リーチ演出の蓄積数が２つであることを示し、１つ目のリーチ演出が開始されたことを示す。ここでは、第１待機画像１９３ａに対応する第１のリーチ演出が実行される。なお、蓄積されたリーチ演出のうち、どのリーチ演出を実行開始するか、操作ボタン８２により実行順序を遊技者に選択させて、選択されたリーチ演出から実行してもよい。この例では第１のリーチ演出を先に実行するか、第２のリーチ演出を先に実行するか遊技者に選択させる。これにより、遊技者が見たいリーチ演出から表示させることができる。なお変形例として、演出表示装置６０を４分割した領域を表示する場合では４回蓄積をする可能性があり、４回分の蓄積の有無を示す演出は実行するものの、リーチ演出の蓄積数は０〜４回のいずれかである態様であってよい。すなわち、特殊演出パターンにおいてリーチ演出の蓄積可能数は予め定められており、その蓄積可能数分は蓄積の有無を示す演出を実行するが、必ずしもリーチ演出が毎回蓄積されるとは限らない態様である。
【０１０９】
図１４（ｂ）において、装飾図柄１９０が外れの態様で半停止しており、第１のリーチ演出による大当りの表示はない。そして図１４（ｃ）において装飾図柄１９０が半停止である状態から図柄変動が開始される。このとき第１のリーチ演出で示す当否抽選の結果が外れであったため、第１待機画像１９３ａが表示されていた領域に、外れたことを示す画像が表示される。
【０１１０】
図１４（ｄ）において、同じ種類の左装飾図柄１９０ａおよび右装飾図柄１９０ｃが停止し、中装飾図柄１９０ｂは変動して第２のリーチ演出が開始される。このように、１回の図柄変動においてリーチ演出を連続して実行することができ、１つ目のリーチ演出で大当りの表示にならなくとも、次のリーチ演出に遊技者の期待感を継続させることができる。そして図柄態様決定手段１３１により当否抽選の結果に応じて決定された態様にて装飾図柄１９０が停止され、図柄変動が終了する。このように１回の図柄変動において、蓄積された複数のリーチ演出が実行される。
【０１１１】
ここで第１実施例の特殊演出パターンは、蓄積されたリーチ演出が、途中のリーチ演出で大当りの表示にならない限り全て実行される態様が定められる。すなわち、特殊演出パターンにおいてリーチ演出が４つ蓄積されて、３つ目に実行されたリーチ演出で当否抽選の結果が大当りであることを表示した場合、残りの４つ目のリーチ演出は実行せず、リーチ演出の実行数は３つとなる。一方、当否抽選の結果が大当りでない場合には、特殊演出パターンにおいて蓄積されたリーチ演出は全て実行される。
【０１１２】
なお変形例では、特殊演出パターンは、蓄積されたリーチ演出が、途中のリーチ演出で大当りであることを表示しても全て実行される態様が定められてもよい。たとえば特殊演出パターンにおいてリーチ演出が４つ蓄積されて、３つ目に実行されたリーチ演出で当否抽選の結果が確率変動状態への移行を伴わない通常大当りであることを表示した場合に、残りの４つ目のリーチ演出も実行される。このとき、４つ目のリーチ演出では、確率変動状態への移行を伴う確変大当りに変更する可能性が残り、４つ目のリーチ演出は確変大当りへの昇格演出として実行される。
【０１１３】
図１５は、ぱちんこ遊技機における基本的な動作過程を示すフローチャートである。まず、遊技球が始動口６２、一般入賞口７２、大入賞口６６などへ入球した場合の処理を実行し（Ｓ１０）、通常遊技中であれば（Ｓ１２のＹ）、当否抽選などの通常遊技の制御処理を実行し（Ｓ１４）、通常遊技中でなければ（Ｓ１２のＮ）、特別遊技の制御処理（Ｓ１６）や、小当り遊技の制御処理を実行し（Ｓ１７）、Ｓ１０の入賞処理においてセットされた賞球数により各種の入賞に応じた賞球払出を処理する（Ｓ１８）。
【０１１４】
図１６は、図１５におけるＳ１０の入賞処理を詳細に示すフローチャートである。始動口６２に入球があった場合（Ｓ２０のＹ）、始動口６２に対応する賞球数をセットし（Ｓ２２）、保留制御手段１１６による保留数が４未満であるか否かを参照してさらなる保留が可能な状態であれば（Ｓ２４のＹ）、当否抽選値を取得する（Ｓ２６）。その当否抽選値に基づいて当否判定する事前判定処理を実行し（Ｓ２８）、当否抽選値を保留制御手段１１６に保留する（Ｓ３０）。Ｓ２０において始動口６２への入球がない場合はＳ２２からＳ３０までの処理をスキップする（Ｓ２０のＮ）。Ｓ２４において保留数が上限に達していてさらなる保留が不可能な場合はＳ２６からＳ３０までの処理をスキップする（Ｓ２４のＮ）。
【０１１５】
一般入賞口７２に入球があった場合は（Ｓ３２のＹ）、一般入賞口７２に対応する賞球数をセットし（Ｓ３４）、一般入賞口７２への入球がないときはＳ３４をスキップする（Ｓ３２のＮ）。大入賞口６６に入球があった場合は（Ｓ３６のＹ）、大入賞口６６に対応する賞球数をセットし（Ｓ３８）、大入賞口６６への入球がないときはＳ３８をスキップする（Ｓ３６のＮ）。
【０１１６】
図１７は、図１６におけるＳ２８の事前判定処理を詳細に示すフローチャートである。まず、事前当否判定テーブルを参照して事前当否判定を実行し（Ｓ４０）、その判定結果として当否範囲を示す値を設定し（Ｓ４２）、事前図柄判定テーブルを参照して事前図柄判定を実行し（Ｓ４４）、その判定結果として図柄範囲を示す値を設定し（Ｓ４６）、事前パターン判定テーブルを参照して事前パターン判定を実行し（Ｓ４８）、その判定結果としてパターン範囲を示す値を設定する（Ｓ５０）。以上のように設定された事前判定結果の値が、保留の個数とともに一時的に保存され、サブ基板１０４の図柄態様決定手段１３１および演出決定手段１３２へ送信される（Ｓ５２）。
【０１１７】
図１８は、図１５におけるＳ１４の通常遊技制御処理の全体的な過程を示すフローチャートである。この通常遊技制御処理は、サブ基板１０４における先読み処理が実行され（Ｓ２５０）、メイン基板１０２における特別図柄変動処理の実行（Ｓ２５２）、サブ基板１０４における装飾図柄変動処理の実行（Ｓ２５４）が、繰り返し処理されることとなる。
【０１１８】
図１９は、図１８におけるＳ２５０の先読み処理を詳細に示すフローチャートである。いわゆる先読みによって得られる情報に基づいてどのような演出をサブ基板１０４において実行するか、また事前判定結果がどのような結果の場合にその結果に応じた演出を実行するかといった基準は、ぱちんこ遊技機１０における遊技性の設計に応じて種々考えられる。本実施例においては、「スーパー１」の変動パターンが選択されたことを事前判定処理の結果に基づいてあらかじめサブ基板１０４側でも認識し、予告演出により大当りの期待度が高いことを演出的に示唆することとする。
【０１１９】
サブ基板１０４の演出決定手段１３２がメイン基板１０２から事前判定結果を受信した場合（Ｓ２６０のＹ）、演出表示制御手段１３４は事前判定結果とともに受信した当否範囲、パターン範囲および保留数の情報に基づいて、その時点での保留数が予告演出の実行に必要な回数以上の図柄変動が確保される保留数となっており（Ｓ２６４のＹ）、事前判定により設定された当否範囲の値が「１」でパターン範囲の値が「４」の場合、すなわち確変状態であるか否かにかかわらず大当り確定となり、「スーパー１」を伴う場合（Ｓ２６６のＹ）、事前演出設定をオンにする（Ｓ２７２）。一方、その当否範囲の値がこれと異なる値であっても（Ｓ２６６のＮ）、事前判定により設定された当否範囲の値が「３」でパターン範囲の値が「１」の場合、すなわち外れ確定にはなるが「スーパー１」を伴う場合にも（Ｓ２６８のＹ）、事前演出設定をオンにする（Ｓ２７２）。
【０１２０】
Ｓ２６８において当否範囲の値とパターン範囲の値が該当しない場合は（Ｓ２６８のＮ）、Ｓ２７２をスキップする。保留数が所定数に満たない場合は（Ｓ２６４のＮ）、Ｓ２６６からＳ２７２までの処理をスキップする。事前判定処理の結果を受信していない場合は本図のフロー全体をスキップする（Ｓ２６０のＮ）。なお、本図の例では、事前判定により設定された当否範囲とパターン範囲に基づいて事前演出設定をオンすべきか否かを決定する。変形例としては事前判定結果として送られる当否範囲およびパターン範囲のいずれかの情報を用いて事前演出設定をオンすべきか否かを決定してもよいし、事前演出設定をオンするか否かを別途抽選で決定してもよい。本実施例では、通常時か確変時かを問わず当否判定の結果が大当りとなる値の場合、すなわち大当り確定の場合に事前演出設定をオンにする例を示したが、確変時にのみ大当りとなる場合、あるいは小当りとなる場合に事前演出設定をオンにするようにしてもよい。あるいは、１５Ｒ大当りまたは２Ｒ大当りのときに、事前演出設定をオンにするようにしてもよい。
【０１２１】
図２０は、図１８におけるＳ２５２の特別図柄変動処理を詳細に示すフローチャートである。まだ図柄変動表示が開始されていない場合（Ｓ６０のＮ）、保留制御手段１１６により当否抽選値の保留がなされている場合（Ｓ７０のＹ）、当否抽選手段１１２が保留制御手段１１６から当否抽選値を読み出してあらためて特別図柄１９２の当否を判定し（Ｓ７２）、図柄決定手段１１４が特別図柄１９２を決定し（Ｓ７４）、変動パターン決定手段１１５が特別図柄１９２の変動パターンを決定し（Ｓ７６）、決定した結果とともに変動開始コマンドをサブ基板１０４へ送信して特別図柄１９２の図柄変動を開始する（Ｓ７７）。保留制御手段１１６により抽選値の保留がなされていない場合はＳ７２からＳ７７までの処理をスキップする（Ｓ７０のＮ）。
【０１２２】
すでに図柄変動表示が開始されている場合（Ｓ６０のＹ）、特別図柄の図柄変動表示を処理し（Ｓ７８）、所定の変動時間が経過して図柄表示の停止タイミングに達したときは（Ｓ８０のＹ）、変動停止コマンドをサブ基板１０４へ送信して表示中の図柄変動をあらかじめ決定された停止図柄にて停止し（Ｓ８２）、本図のフローを終了する。図柄表示の停止タイミングに達していない場合はＳ８２の処理をスキップして本図のフローを終了する（Ｓ８０のＮ）。
【０１２３】
図２１は、図１８におけるＳ２５４の装飾図柄変動処理を詳細に示すフローチャートである。サブ基板１０４の演出決定手段１３２がメイン基板１０２から変動開始コマンドを受信した場合（Ｓ２８０のＹ）、受信した特別図柄の停止図柄、変動パターン、当否判定結果に応じて装飾図柄の停止態様を決定し（Ｓ２８２）、新たな変動演出パターンを決定する（Ｓ２８４）。演出決定手段１３２は、変動パターン決定手段１１５により決定された特別図柄の変動パターンが「スーパー３」である場合に、特殊演出パターンに決定する。演出決定手段１３２は、特殊演出パターンにおいて蓄積されるリーチ演出を選択する処理を実行する（Ｓ２８５）。
【０１２４】
ここで、事前演出設定がオンになっていた場合（Ｓ２８６のＹ）、予告演出の内容を設定して事前演出設定をオフに戻す（Ｓ２９２）。Ｓ２８６において事前演出設定がオンになっていなかった場合はＳ２９２をスキップする（Ｓ２８６のＮ）。その後、装飾図柄の変動表示を開始するとともに予告演出が決定されているときは予告演出を開始する（Ｓ２９６）。メイン基板１０２から変動開始コマンドを受信しなかった場合はＳ２８２からＳ２９６をスキップする（Ｓ２８０のＮ）。
【０１２５】
すでに装飾図柄の変動表示が開始済みであれば（Ｓ２９８のＹ）、その図柄変動や予告演出の演出表示処理を実行し（Ｓ３００）、メイン基板１０２から変動停止コマンドを受信したときは（Ｓ３０２のＹ）、Ｓ２８２で決定された停止態様にて装飾図柄を停止表示させることで変動表示を停止する（Ｓ３０４）。変動停止コマンドをメイン基板１０２から受信していないときはＳ３０４をスキップし（Ｓ３０２のＮ）、変動表示が開始済みでないときはＳ３００からＳ３０４をスキップする（Ｓ２９８のＮ）。
【０１２６】
図２２は、図２１におけるＳ２８５のリーチ演出決定処理を詳細に示すフローチャートである。演出決定手段１３２は、特殊演出パターンが選択されているか判定し（Ｓ３１０）、選択されていなければ（Ｓ３１０のＮ）、本処理を終了する。
【０１２７】
特殊演出パターンが選択されていれば（Ｓ３１０のＹ）、演出決定手段１３２は、特別図柄の変動パターンの変動時間を取得し（Ｓ３１２）、その変動時間にもとづいてリーチ演出の蓄積数を決定する（Ｓ３１４）。演出決定手段１３２は、変動時間およびリーチ演出の蓄積数にもとづいて残りの変動時間を算出し、残りの変動時間にもとづいてリーチ演出の実行数を決定する（Ｓ３１６）。演出決定手段１３２は、残りの変動時間とリーチ演出の実行数にもとづいて蓄積するリーチ演出の種類を決定する。
【０１２８】
図２３は、図１５におけるＳ１６の特別遊技制御処理を詳細に示すフローチャートである。当否抽選の結果が大当りであった場合（Ｓ９０のＹ）、すでに特別遊技が開始済みであって（Ｓ９２のＹ）、大入賞口６６が開放済でなければ（Ｓ９８のＮ）、大入賞口６６の開放処理を実行する（Ｓ１００）。このとき、設定された大当り演出の表示も開始する。大入賞口６６が開放済みであれば（Ｓ９８のＹ）、大入賞口６６の閉鎖処理を実行する（Ｓ１０２）。その結果、大入賞口６６が閉鎖状態になっていれば（Ｓ１０４のＹ）、Ｓ１０６へ移行する。閉鎖状態でなければ（Ｓ１０４のＮ）、Ｓ１０６以降の処理をスキップして本処理を一旦終了する。一方、Ｓ９２において特別遊技が開始済みでない場合は（Ｓ９２のＮ）、特別遊技を開始して（Ｓ９４）、その開始デモ演出の表示を開始し（Ｓ９６）、本処理を一旦終了する。
【０１２９】
Ｓ１０６においては、特別遊技中の演出であるデモ演出中であるか否かを判定する。なお、ここでいう「デモ演出」は、開始デモ演出および終了デモ演出を含む。デモ演出中でなければ（Ｓ１０６のＮ）、後述する終了フラグを参照して特別遊技終了条件が満たされるか否かを判定し（Ｓ１１０）、特別遊技終了条件が満たされていれば（Ｓ１１０のＹ）、その終了フラグをオフにしたうえで（Ｓ１１２）、終了デモ演出の表示を開始する（Ｓ１１４）。特別遊技終了条件が満たされていなければ（Ｓ１１０のＮ）、本処理を一旦終了する。Ｓ１０６にてデモ演出中であると判定され（Ｓ１０６のＹ）、終了デモ演出が終了した場合（Ｓ１１６のＹ）、特別遊技を終了し（Ｓ１１８）、特定遊技、すなわち確変、時短、および入球容易状態を開始する（Ｓ１２０）。終了デモ演出が終了していない場合は（Ｓ１１６のＮ）、Ｓ１１８およびＳ１２０の処理をスキップする。大当りでない場合は（Ｓ９０のＮ）、本図のＳ９２以降のフローをスキップする。
【０１３０】
図２４は、図２３におけるＳ１００の開放処理を詳細に示すフローチャートである。設定された開閉パターンに基づく大入賞口６６の開放タイミングとなったとき（Ｓ１２２のＹ）、開閉制御手段１２４は、通過フラグを一律にオフにするとともに開閉パターンの動作を設定し（Ｓ１２４）、大入賞口６６を開放させる（Ｓ１２６）。また、現在の単位遊技の繰り返し回数に対応した大当り演出、または繰り返し回数が異なる回数になることに対応した大当り演出を設定して開始する。開放タイミングでないときは（Ｓ１２２のＮ）、Ｓ１２４およびＳ１２６の処理をスキップする。
【０１３１】
図２５は、図２３におけるＳ１０２の閉鎖処理を詳細に示すフローチャートである。設定された開閉パターンに基づく大入賞口６６の閉鎖タイミングとなったとき、開閉制御手段１２４は大入賞口６６を閉鎖させる。すなわち、特別遊技中において、入球数による終了条件が満たされるか（Ｓ１３０のＹ）、入球数による終了条件が満たされなくとも（Ｓ１３０のＮ）、開放時間による終了条件が満たされれば（Ｓ１３２のＹ）、大入賞口６６を閉鎖する（Ｓ１３４）。開放時間による終了条件も満たされなければ（Ｓ１３２のＮ）、Ｓ１３４以降のフローをスキップする。
【０１３２】
なお、１５Ｒ大当りにおける入球数による終了条件は大入賞口６６への１０球以上の入球であり、開放時間による終了条件は、大入賞口６６の開放開始から開閉パターンに沿った設定時間の経過である。１５Ｒ大当りの場合は、その開放開始から３０秒の経過であり、２Ｒ大当りの場合は、その開放開始から０．５秒の経過である。ただし、０．５秒の開放は極めて短いため、１０球以上の入球はもちろん、入球そのものが困難である。その大入賞口の開放と同時に遊技球を打ち出したとしても入球困難であるため、大入賞口６６の極短開放が行われる２Ｒ大当りについては、大入賞口６６の開放前にその開放を予測して遊技球を打ち出す必要がある。一方、１５Ｒ大当りにおける入球数による終了条件は大入賞口への１０球以上の入球であり、開放時間による終了条件は、大入賞口６６の開放開始から３０秒の経過である。このとき、継続上限回数に達していれば（Ｓ１３６のＹ）、終了フラグをオンにする（Ｓ１３８）。継続上限回数に達していなければ（Ｓ１３６のＮ）、Ｓ１３８の処理をスキップする。本実施例においてこの継続上限回数は１５回である。入球数による終了条件および開放時間による終了条件のいずれも満たされていなければ（Ｓ１３０のＮ，Ｓ１３２のＮ）、Ｓ１３４以降の処理をスキップする。
【０１３３】
図２６は、図１５におけるＳ１７の小当り遊技制御処理を詳細に示すフローチャートである。当否抽選の結果が小当りであった場合（Ｓ１５０のＹ）、既に小当り遊技が開始済みであって（Ｓ１５２のＹ）、大入賞口６６が開放済でなければ（Ｓ１５８のＮ）、大入賞口６６の開放処理を実行し（Ｓ１６０）、開放済みであれば（Ｓ１５８のＹ）、大入賞口６６の閉鎖処理を実行する（Ｓ１６２）。その結果、大入賞口６６が閉鎖状態になっていれば（Ｓ１６４のＹ）、Ｓ１６６へ移行する。閉鎖状態でなければ（Ｓ１６４のＮ）、Ｓ１６６以降の処理をスキップして本処理を一旦終了する。一方、Ｓ１５２において小当り遊技が開始済みでない場合は（Ｓ１５２のＮ）、小当り遊技を開始して（Ｓ１５４）、２Ｒ大当りと同様の開始デモ演出の表示を開始し（Ｓ１５６）、本処理を一旦終了する。
【０１３４】
Ｓ１６６においては、小当り遊技中の演出であるデモ演出中であるか否かを判定する。デモ演出中でなければ（Ｓ１６６のＮ）、小当り遊技終了条件が満たされたか否かを判定する。ここでは、後述する終了フラグがオンになっていれば、小当り遊技終了条件が満たされることになる。小当り遊技終了条件が満たされていれば（Ｓ１７０のＹ）、その終了フラグをオフにしたうえで（Ｓ１７２）、終了デモ演出の表示を開始する（Ｓ１７４）。小当り遊技終了条件が満たされていなければ（Ｓ１７０のＮ）、本処理を一旦終了する。Ｓ１６６にてデモ演出中であると判定され（Ｓ１６６のＹ）、終了デモ演出が終了した場合（Ｓ１７６のＹ）、小当り遊技を終了する（Ｓ１７８）。終了デモ演出が終了していない場合は（Ｓ１７６のＮ）、Ｓ１７８の処理をスキップする。小当りでない場合は（Ｓ１５０のＮ）、本図のＳ１５２以降のフローをスキップする。
【０１３５】
図２７は、図２６におけるＳ１６０の開放処理を詳細に示すフローチャートである。設定された開閉パターンに基づく大入賞口６６の開放タイミングとなったとき（Ｓ１８０のＹ）、開閉制御手段１２４は、開閉パターンの動作を設定し（Ｓ１８２）、大入賞口６６の開放を開始する（Ｓ１８４）。開放タイミングでないときは（Ｓ１８０のＮ）、Ｓ１８２およびＳ１８４の処理をスキップする。
【０１３６】
図２８は、図２６におけるＳ１６２の閉鎖処理を詳細に示すフローチャートである。設定された開閉パターンに基づく大入賞口６６の終了タイミングとなったとき（Ｓ１９０のＹ）、終了フラグをオンにし（Ｓ１９２）、大入賞口６６を閉鎖する（Ｓ１９４）。なお、この閉鎖タイミングは、大入賞口６６の開放開始から０．５秒の経過したタイミングである。閉鎖タイミングでなければ（Ｓ１９０のＮ）、Ｓ１９２およびＳ１９４の処理をスキップする。
【０１３７】
以下に示す各実施例では、第１実施例との相違点を中心に説明し、第１実施例と共通する構成および処理の説明を省略する。
＜第２実施例＞（予めリーチ演出を表示）
図２９は、特殊演出パターンの別の変動態様を説明するための図である。図２９（ａ）は、演出決定手段１３２により特殊演出パターンが選択され、図柄変動が開始して各装飾図柄１９０が変動している。演出表示装置６０の画面内の背景は４分割されており、変動する装飾図柄１９０の背景に、リーチ演出の種類を示唆する第１演出候補画像１９５ａ、第２演出候補画像１９５ｂ、第３演出候補画像１９５ｃおよび第４演出候補画像１９５ｄが表示され、特殊演出パターンが開始されている。この態様では、特殊演出パターンにおいて蓄積される可能性があるリーチ演出の種類が予め表示されている。
【０１３８】
ここで第２実施例の特殊演出パターンでは、擬似連演出が実行されて、蓄積されたリーチ演出が実行される点は、第１実施例と同じであるが、擬似連演出パターンに含まれる個別変動演出を実行するごとにリーチ演出の蓄積の有無が示される点が第１実施例と異なる。すなわち、擬似連演出において装飾図柄１９０が半停止状態になるごとにリーチ演出の有無が演出表示装置６０に表示され、蓄積有りと表示された場合にリーチ演出の実行を待機させた状態で演出表示装置６０の画面内に蓄積していく。たとえば大当りへの期待度が相対的に高いリーチ演出が予め表示されていても、そのリーチ演出が実行されるか初めの段階では不明であるため、そのリーチ演出が蓄積されることを遊技者に期待させることができる。
【０１３９】
図２９（ｂ）では、擬似連演出パターンが実行され、同じ種類の左装飾図柄１９０ａおよび右装飾図柄１９０ｃが半停止し、擬似連演出の継続を示す中装飾図柄１９０ｂが半停止して１回の個別変動演出が実行される。このとき、第１演出候補画像１９５ａに対応する第１のリーチ演出を蓄積したことが演出表示装置６０に明示され、第１演出候補画像１９５ａが実行待機状態の第１待機画像１９３ａに変わる。
【０１４０】
図２９（ｃ）では、半停止した装飾図柄１９０の変動が開始され、擬似連演出パターンが継続される。図２９（ｄ）では、装飾図柄１９０が半停止して１回の個別変動演出が実行される。このとき、第２のリーチ演出を蓄積しないことが演出表示装置６０に表示される。第２演出候補画像１９５ｂが蓄積無し画像１９６に変わる。このように、擬似連演出パターンが継続されるたびにリーチ演出の蓄積の有無が示されることで、演出を多様にできる。また、特殊演出パターンは、演出表示装置６０の画面内の複数の領域において予め定められたリーチ演出の種類を示し、複数の領域に表示されたリーチ演出の実行の有無を示唆する演出を表示する態様が定められる。
【０１４１】
図３０は、特殊演出パターンにおいて蓄積されたリーチ演出の変動時間について説明する図である。図３０（ａ）は、特殊演出パターンにおいてリーチ演出が３つ蓄積された演出表示装置６０を示す。第１待機画像１９３ａに対応する第１のリーチ演出、第３待機画像１９３ｃに対応する第３のリーチ演出、第４待機画像１９３ｄに対応する第４のリーチ演出が演出表示装置６０に表示され、蓄積されなかった第２のリーチ演出の蓄積無し画像１９６も表示される。第１のリーチ演出、第３のリーチ演出、第４のリーチ演出の順に実行される。ここでリーチ演出の合計変動時間は、６０秒であったとする。
【０１４２】
第１待機画像１９３ａ、第３待機画像１９３ｃおよび第４待機画像１９３ｄには、リーチ演出の種類に加えて、そのリーチ演出の開始位置が示される。図３０（ｂ）〜（ｅ）に示すように各リーチ演出は、区分１、区分２、区分３および区分４に分けられる。この区分は、１つのリーチ演出の演出過程ないし演出時間を複数に区分けしたものである。区分１および区分２は、ノーマルリーチにおいて実行されるリーチ演出であり、区分１から区分４まで実行されるとスーパーリーチにおいて実行されるリーチ演出である。区分１と区分２の境界、および区分３と区分４の境界は、所定の予告演出が出る可能性があるタイミングの近傍である。たとえば区分１では群予告演出が実行されないが、区分２では開始直後に群予告演出が実行される可能性がある。
【０１４３】
第１待機画像１９３ａには、第１のリーチ演出を区分１（最初）から実行するということが表示される。ここで、第１待機画像１９３ａには区分３および区分４のスーパーリーチに発展するか否かは示されておらず、第１のリーチ演出がノーマルリーチであるかスーパーリーチであるか遊技者には不明である。また第３待機画像１９３ｃには、第３のリーチ演出を区分２から実行することが表示され、第４待機画像１９３ｄには、第４のリーチ演出を区分４から実行することが表示される。このように、所定のタイミングでリーチ演出を区分して、それぞれの位置からリーチ演出の一部を実行できる。第１待機画像１９３ａおよび第３待機画像１９３ｃでは、ノーマルリーチかスーパーリーチのいずれのリーチ演出であるか不明であるのに対し、第４待機画像１９３ｄでは、スーパーリーチのリーチ演出であることが表示されているため、遊技者は第４のリーチ演出にいっそう大当りへの期待をする。
【０１４４】
図３０（ｂ）に示すように区分２から区分３のスーパーリーチに発展すると大当りの期待度が５％から３０％に上昇する。第１待機画像１９３ａに対応する第１のリーチ演出が実行される場合、演出表示制御手段１３４は、パターン記憶手段１３０から第１のリーチ演出の区分１および区分２の演出内容を読み出し、２０秒で実行して第１のリーチ演出を終了する。第１のリーチ演出では装飾図柄１９０が外れの態様で半停止し、次のリーチ演出が実行される。
【０１４５】
次に図３０（ｃ）に示す第２のリーチ演出は実行されないため、各区分は読み出されない。次に図３０（ｄ）に示す第３のリーチ演出が実行される場合、演出表示制御手段１３４は、パターン記憶手段１３０から第３のリーチ演出の区分２、区分３および区分４の演出内容を読み出し、３０秒で実行する。区分３および区分４のスーパーリーチの内容に継続したことで期待度は１％から２０％に上昇するが、第３のリーチ演出でも装飾図柄１９０が外れの態様で装飾図柄１９０が半停止し、次の第４のリーチ演出が実行される。
【０１４６】
次に図３０（ｅ）に示す第４のリーチ演出が実行される場合、演出表示制御手段１３４は、パターン記憶手段１３０から区分４の演出内容を読み出し、１０秒で実行する。第４のリーチ演出はスーパーリーチから始まるため、期待度は最初から５０％と高い。区分４の開始部分には、特別予告演出が実行されるタイミングがある。特別予告演出が実行された場合、期待度が１０％上昇し、第４のリーチ演出の期待度は６０％となる。このように特殊演出パターンにおいて実行される各リーチ演出の変動時間の合算は６０秒の変動時間と同じになるように実行される。演出決定手段１３２が特殊演出パターンにおいて蓄積されるリーチ演出を変動パターンの変動時間にもとづいて選択することで、変動時間に、複数のリーチ演出を収めることができる。
【０１４７】
図３０（ｅ）に示すように演出決定手段１３２が、リーチ演出の一部を表示することで、そのリーチ演出の大当りの期待度が高い部分から実行できる、また、複数のリーチ演出を実行する場合にそれら全てのリーチ演出を実行するのにかかる時間を短縮させることができ、特別図柄の変動時間に容易に合わせることができる。
【０１４８】
＜第３実施例＞（予めリーチ演出表示＋選択）
図３１は、特殊演出パターンの他の変動態様を説明するための図である。ここで第３実施例の特殊演出パターンでは、擬似連演出が実行されて、蓄積されたリーチ演出が実行される点は、第２実施例と同じである。さらに、演出表示装置６０の画面内の背景は４分割されており、変動する装飾図柄１９０の背景に、リーチ演出の種類を示唆する第１演出候補画像１９５ａ、第２演出候補画像１９５ｂ、第３演出候補画像１９５ｃおよび第４演出候補画像１９５ｄが表示され、特殊演出パターンにおいて蓄積される可能性があるリーチ演出の種類が予め表示されている点も、第２実施例と同じである。
【０１４９】
第２実施例と異なる点は、遊技者が予め表示されている４つのリーチ演出の中から、蓄積されるリーチ演出を選択できることである。つまり、第３実施例の特殊演出パターンは、擬似連演出パターンに含まれる個別変動演出を実行するごとに、演出表示装置６０の画面内に表示された複数のリーチ演出から蓄積されるリーチ演出を操作入力により選択される態様が定められる。
【０１５０】
第１実施例では、演出決定手段１３２は特殊演出パターンが選択されてから特殊演出パターンを実行するまでの間に蓄積されるリーチ演出を決定したが、第３実施例では、特殊演出パターンを実行中に蓄積されるリーチ演出の種類を決定する。第３実施例の演出決定手段１３２は、特殊演出パターンが選択されていれば、変動パターン決定手段１１５により決定された変動パターンの変動時間に収まるように、リーチ演出の蓄積数、蓄積されたリーチ演出の実行数、および実行するリーチ演出の実行時間を、特殊演出パターンが選択されてから特殊演出パターンを実行するまでの間に決定する。そして、図３１（ａ）に示す４種類のリーチ演出の候補を選択する。４種類のリーチ演出の候補の実行時間は全て同じである。
【０１５１】
図３１（ａ）において、擬似連演出において各装飾図柄１９０が半停止し、リーチ演出が蓄積されることが示唆される。図３１（ｂ）において、装飾図柄１９０は半停止状態から再び変動し、４つのリーチ演出候補のうちいずれのリーチ演出を選択するか遊技者が選択可能な状態を示す。第２のリーチ演出にカーソルがセットされており、このタイミングで操作ボタン８２を押すことで、第２のリーチ演出が蓄積される。なお、遊技者が所定の時間内に操作ボタン８２を押さない場合、第１のリーチ演出が蓄積される。演出決定手段１３２は、操作ボタン８２の操作入力に応じて蓄積されるリーチ演出を決定する。
【０１５２】
図３１（ｃ）において、第２のリーチ演出が１つ蓄積されたことを示す第１待機画像１９３ａが表示される。擬似連演出が終了してリーチ演出の蓄積が終わった場合、第２のリーチ演出が実行される。このように遊技者は、様々なリーチ演出の中から所望のリーチ演出を選択して実行させることができる。
【０１５３】
ところで、以下のような携帯端末と弾球遊技機を連携させる技術がある。遊技機における遊技結果の情報を二次元コード画像の形で遊技機画面に表示し、それを遊技者が自己の携帯端末のカメラ機能を用いて撮影することで情報を読み取ることができる。読み取った情報は専用ウェブサーバに送信されて遊技履歴として記録される。遊技者が再び同じ機種の遊技機で遊技をする際、自己の携帯端末で専用ウェブサーバにアクセスすると、その携帯端末の識別情報と紐付けられた遊技履歴の情報を符号化した文字列（以下、この文字列を「パスワード」という）が携帯端末の画面に表示される。遊技者はそのパスワードを遊技機に入力すると、前回までの遊技結果の続きとなる形で遊技を開始することができる。
【０１５４】
遊技履歴には遊技中に実行された各種演出が記録され、たとえばリーチ演出を１０種類以上表示させるという条件を満たすと特典が得られることもある。遊技者は、まだ遊技履歴に実行が記録されていないリーチ演出を選択して、遊技履歴に新たなリーチ演出を実行したことを記録できる。このように遊技者が所望のリーチ演出を選択できることにより、遊技者は新たなリーチ演出の実行記録を容易に収集できる。
【０１５５】
＜第４実施例＞（先読み、ストック持ち越し）
第４実施例では、特殊演出パターンにおいて蓄積されたリーチ演出が当該図柄変動で実行されずに持ち越され、次回以降の図柄変動で実行される。すなわち、特殊演出パターンは、１回の図柄変動でリーチ演出をその実行を待機させた状態で画面内に蓄積していき、その蓄積数より少ない回数のリーチ演出を実行することが定められ、次回以降の図柄変動で蓄積されても実行されなかったリーチ演出が実行される。次回以降の図柄変動で蓄積されたリーチ演出を実行するとは、特殊演出パターンにおいて蓄積されたリーチ演出と同じ種類のリーチ演出を、当該図柄変動で保留されていた当否抽選の結果を示す図柄変動のときに実行することをいう。このように、特殊演出パターンにおいて蓄積されたリーチ演出を持ち越して、次回以降の図柄変動で実行することで、遊技者の大当りへの期待を継続させることができる。
【０１５６】
事前判定処理において保留された当否抽選が大当りである場合に、特殊演出パターンにおいて蓄積されたリーチ演出を、次回以降の図柄変動に残し、事前判定処理において大当りであると判定された図柄変動が実行される際に、残したリーチ演出と同じリーチ演出を実行して大当りを表示する。
【０１５７】
具体的に、演出決定手段１３２は、事前判定処理により保留されている当否抽選に大当りとなる抽選値がある場合、特殊演出パターンを選択する。選択された特殊演出パターンは、１回の図柄変動で複数のリーチ演出を蓄積するものの、当該図柄変動で蓄積した全てのリーチ演出を実行せず、少なくとも１つのリーチ演出を残す。そして事前判定処理において大当りであると判定された当否抽選の図柄変動において、特殊演出パターンにおいて残したリーチ演出と同じ種類のリーチ演出を実行する。
【０１５８】
また、事前判定処理において保留された当否抽選の結果に大当りが含まれない場合でも、特殊演出パターンにおいて蓄積されても実行されなかったリーチ演出を、次回以降の図柄変動で実行してもよい。
【０１５９】
なお、演出決定手段１３２は、今回の当否抽選の結果および事前判定処理において当否抽選の結果に複数の大当りがある場合に、１回の図柄変動において、複数のリーチ演出を蓄積して、蓄積された複数のリーチ演出を実行して複数の大当りを表示する特殊演出パターンを選択してよい。これにより、１回の図柄変動で２つの大当りが実行されることを表示でき、遊技者に将来に得られる利益まで通知できる。また、特殊演出パターンにて、蓄積されたリーチ演出を全て実行する前に大当りであることを表示し、残りの蓄積されたリーチ演出を実行する場合に、遊技者の大当りへの期待を継続することができる。
【０１６０】
演出決定手段１３２は、事前判定処理において先読みした当否抽選の変動パターンを取得し、その変動パターンにもとづいてリーチ演出を蓄積数を決定してもよい。たとえば演出決定手段１３２は、事前判定処理において、スーパーリーチ、すなわち高期待度の変動パターンが選択されている当否抽選の数を、特殊演出パターンにおけるリーチ演出の蓄積数とする。
【０１６１】
変形例として、演出決定手段１３２は、当否抽選の結果が２Ｒ大当りや小当りとなった場合、所定の確率で特殊演出パターンを選択してよい。たとえば、確変状態が維持される期間が、特別図柄の変動回数が所定の終期回数に達するときまでに限定される、いわゆる「ＳＴ機」と呼ばれる機種において好適に用いられる。またＳＴ機において、演出決定手段１３２は、当否抽選の結果が２Ｒ大当りや小当りとなった場合に、その小当り遊技の開始からの限定期間（小当り遊技終了後の初回の特別図柄の変動が停止するまでの期間）、特殊限定テーブルを参照して演出を決定する。特殊限定テーブルは、確変状態において演出決定手段１３２に参照されるテーブルとほぼ同じであってよく、特殊限定テーブルを参照する限定期間に突入した状態と確変状態とは区別しづらくなっている。当否抽選の結果が２Ｒ大当りや小当りとなって特殊演出パターンが選択された場合、複数の蓄積演出を実行して、その図柄変動で蓄積したリーチ演出を残し、演出決定手段１３２は、次の図柄変動以降に過去の変動で蓄積したリーチ演出を１つずつ実行することを決定する。また、確変状態において演出決定手段１３２は、特殊演出パターンを選択して、蓄積したリーチ演出を次回以降の図柄変動で実行する。これにより、２Ｒ大当りおよび小当り後の特殊演出パターンで、確変状態で実行されている可能性もあるため、遊技者の大当りへの期待感を高めることができる。この特殊演出パターンにおいて、リーチ演出を蓄積する代わりに、演出モードの移行を示唆する演出を蓄積し、蓄積した演出を実行してもよい。終期回数と限定期間は、同じまたは近い数値であってよい。また、当否抽選の結果が２Ｒ確変大当りである場合、演出決定手段１３２は、大当りへの期待度が高い確変状態となったことを示唆する演出モードを、小当りとなった場合より高い確率で選択する。なお、２Ｒ大当りや小当りを契機として特殊演出パターンを実行する態様はＳＴ機において好適に用いられるものの、その態様には限定されず、確変状態に移行可能な弾球遊技機において適用可能である。
【０１６２】
＜第５実施例＞（先読み絵合わせ）
第５実施例では、変動パターン決定手段１１５によって特殊演出パターンが選択された場合、特殊演出パターンに対応する変動演出パターンとして、演出決定手段１３２は複数種類の特殊演出パターンから抽選でいずれかを選択する。特殊演出パターンとしては、それぞれ別個の演出表示態様の演出ストーリーにしたがった演出表示内容をもつ複数種類の特殊演出パターンがパターン記憶手段１３０に記憶される。
【０１６３】
通常の変動演出パターンが選択されたときの装飾図柄としては、数字の０〜９を外観にもつ通常装飾図柄を用いる。一方、特殊演出パターンが選択されたときの装飾図柄は、数字の０〜９を外観にもつ通常装飾図柄とともに、アルファベット文字を外観にもつ特殊装飾図柄の組合せを合わせて変動表示する。特殊装飾図柄を用いる場合、通常装飾図柄は画面の表示領域端部近傍に縮小サイズで変動表示させた上で、表示領域の中央にて通常装飾図柄から分離させた演出として特殊装飾図柄を大きく変動表示させる。この場合、通常装飾図柄としては外れを示す不揃いの数字組合せが最終的な停止態様として表示される一方、特殊装飾図柄としては不揃いだが有意な英単語を示すアルファベット３文字の組合せが停止態様として表示される。これら外れの通常装飾図柄の組合せと、有意な英単語を形成する特殊装飾図柄の組合せとをセットにして特殊図柄組合せと称する。例えば、「Ｄ・Ｏ・Ｇ」「Ｃ・Ａ・Ｔ」「Ｃ・Ｏ・Ｗ」等のように犬、猫、牛等の動物の名称を表す英単語を構成するアルファベット３文字の組合せを特殊装飾図柄の組合せとして用いる。特殊装飾図柄の組合せは、それぞれ犬、猫、牛のキャラクターが登場する演出ストーリーの特殊演出パターンに対応し、遊技者は特殊装飾図柄の態様を見るだけで、どの種類の演出ストーリーによる演出に発展するかを把握することができる。したがって、当否結果以外の面でも装飾図柄がどのような組合せとなるか遊技者に期待をさせることができ、演出の幅を図柄組合せ態様にまで広げることができる。
【０１６４】
演出表示制御手段１３４は、特殊演出パターンが選択された場合、その特殊演出パターンにしたがっていずれかの特殊装飾図柄の組合せを表示した後、その特殊装飾図柄の組合せに対応する演出ストーリーによるリーチ演出へ発展させる。特殊演出パターンの種類、すなわち演出ストーリーの種類が多数に及ぶ場合、それらすべての種類を短期間の遊技で遊技者が目にすることは困難となる。また、特殊演出パターンごとに出現頻度が異なるように設計した場合、出現頻度の低い特殊演出パターンほど遊技者が目にすることも稀となり得る。そうした希少性を少なくとも一部の演出ストーリーに持たせることにより、演出に対する遊技者の期待を煽ることができる。したがって、リーチ演出へ至って演出ストーリーが外観に表れるようになる前から遊技者に特殊装飾図柄の組合せを見せることで、その後の演出がどの演出ストーリーに発展するかを遊技者に期待させることができる。
【０１６５】
演出決定手段１３２は、高期待変動パターンが選択されていることが事前判定結果から判明した場合、高期待変動パターンに対応する変動演出パターンとして、複数種類の高期待演出パターンのうちいずれかを選択することにより予兆蓄積演出の実行を決定する。予兆蓄積演出は、高期待変動パターンによる図柄変動である高期待変動が開始されるまでの１回以上の途中図柄変動にて特殊装飾図柄の組合せを表示し、その特殊装飾図柄の組合せの画像を用いた予兆表示オブジェクトを途中図柄変動のたびに画面内の所定位置に蓄積していく形式で表示する演出である。予兆表示オブジェクトは、高期待変動パターンの出現が控えていることを演出表示装置６０の画面に示唆する表示オブジェクトである。特殊装飾図柄の組合せを表示した時点では、特殊演出パターンとしてその特殊装飾図柄の組合せに対応する演出ストーリーによるリーチ演出に発展することを遊技者に期待させることとなる。しかし実際には、すぐさまリーチ演出に発展するのではなく、特殊装飾図柄の組合せが縮小されて予兆表示オブジェクトとして蓄積されることとなり、遊技者に対しては特殊演出パターンよりもさらに期待度の高い高期待演出パターンの出現を予期させることができる。
【０１６６】
予兆表示オブジェクトを蓄積表示する途中図柄変動を１回または複数回実行した後、最終的に高期待変動パターンによる図柄変動に至ったとき、それまで蓄積された予兆表示オブジェクトに対応する演出内容を表示させる。演出決定手段１３２は、予兆蓄積演出の実行が決定された場合、途中図柄変動における特殊装飾図柄の組合せの表示ないし予兆表示オブジェクトの蓄積の回数を、選択されている高期待変動パターンの種類、すなわち高期待変動パターンごとの大当りへの期待度に応じて決定する。図柄態様決定手段１３１は、途中図柄変動にて表示する特殊装飾図柄の組合せないし予兆表示オブジェクトの種類を、選択されている高期待変動パターンの種類、すなわち高期待変動パターンごとの大当りへの期待度に応じて予兆表示オブジェクトの蓄積回数分だけ選択する。特殊装飾図柄の組合せの表示回数や組合せ態様を決定するとき、高期待変動パターンが選択された時点での保留制御手段１１６による保留数に応じて異なる決定をしてもよい。例えば、その保留数が２個であった場合、高期待変動を除くと予兆表示オブジェクトを蓄積する途中図柄変動は１回だけとなるため、その分、期待度の高い種類の特殊装飾図柄の組合せを表示させ、その予兆表示オブジェクトを蓄積させる。一方、保留数が４個であった場合、高期待変動を除くと予兆表示オブジェクトを蓄積する途中図柄変動は３回となるため、期待度が低いものから高いものまで満遍なく特殊装飾図柄の組合せ種類を決定する。また、このような決定方法を、真に大当りへの期待度が高い場合、すなわち実際の当否抽選の結果が当りである場合に採用することとしてもよい。逆に、実際の当否抽選の結果が外れの場合であって保留数が２個であった場合は、期待度の低い種類の特殊装飾図柄の組合せに決定するなど当りの場合とは異なる決定方法を採用してもよい。
【０１６７】
演出表示制御手段１３４は、予兆蓄積演出の実行が決定された場合、途中図柄変動において特殊装飾図柄の組合せを表示させるたびに予兆表示オブジェクトを画面内の所定位置に蓄積していく形式で表示する。蓄積される数が多いほど遊技者に対して大当りへの期待を高めさせることができる。高期待変動パターンによる図柄変動においては、蓄積された予兆表示オブジェクトのうちいずれかに対応する演出ストーリーを含む演出内容を表示させる。本実施例においては、予兆表示オブジェクトは１〜３個が蓄積表示され、そのうち一つが自動的に選択される過程を表示した後、その選択された予兆表示オブジェクトに対応する演出ストーリーによるリーチ演出に発展させる。なお、変形例としては、蓄積する予兆表示オブジェクトの数にかかわらず蓄積する種類や選択される種類によって大当りへの期待度が異なるよう構成してもよい。
【０１６８】
尚、本願発明は上記実施形態に限定されるものではなく、要旨を逸脱しない範囲で構成要素を変形して具体化することができる。また、上記実施形態に開示されている複数の構成要素の適宜組合せにより種々の発明を形成しても良いし、上記実施形態に示される全構成要素からいくつかの構成要素を削除しても良い。更に、複数の実施形態にわたる構成要素を適宜組み合わせることも可能である。
【０１６９】
第１実施例では、特殊演出パターンにおいて蓄積される高期待演出として装飾図柄のリーチ演出を示したが、その態様に限られない。たとえば、高期待演出は、大当りへの期待度の高さを変動表示の停止前に予告的に示唆する予告演出を含む。すなわち高期待演出は、リーチ演出と予告演出との組合せか、これらの演出のいずれか一方である。これにより、特殊演出パターンにおいてリーチ演出に加えて群予告演出が蓄積された場合、その図柄変動での遊技者の大当りへの期待をいっそう高めることができる。
【０１７０】
第１実施例では、特殊演出パターンにおいて複数のリーチ演出が蓄積され、それらのリーチ演出が順に実行される態様を示したがこの態様に限られない。たとえば特殊演出パターンは、蓄積された複数のリーチ演出を同時に（並列して）実行する態様が定められてもよい。このとき、演出表示制御手段１３４は、当該図柄変動および事前判定処理において当否抽選の結果に複数の大当りがある場合に、複数のリーチ演出で当否抽選の結果に大当りがあることを表示してよい。
【０１７１】
第１実施例では、特殊演出パターンにおいて、大当りの期待度が異なるリーチ演出が蓄積される態様を示したが、この態様に限られない。たとえば、特殊演出パターンにおいて蓄積されるリーチ演出は、大当りの期待度が全て同じであってよい。
【０１７２】
第１実施例では、特殊演出パターンを実行するごとに蓄積されるリーチ演出を選択する態様を示したが、その態様に限られない。たとえば、特殊演出パターンにおいて実行されるリーチ演出の種類は、予め特殊演出パターンに定められる。すなわち、特殊演出パターンに、リーチ演出の蓄積数、リーチ演出の種類、実行順序および変動時間が予め定められる。別の変形例では、特殊演出パターンに、リーチ演出の蓄積数、実行順序および変動時間が予め定められ、リーチ演出の種類のみ特殊演出パターンを実行するごとに選択される。
【０１７３】
第１実施例では、待機画像に蓄積されたリーチ演出の名称を表示する態様を示したが、それに限られない。たとえば、待機画像は蓄積されたリーチ演出の実行途中の状態の画像であって、そのリーチ演出が実行される場合、待機画像に示すリーチ演出の実行途中の状態から開始されてよい。たとえば、リーチ演出の終盤で、あと一つの同じ図柄が揃いそうな場面の画像を待機画像として表示し、蓄積したリーチ演出を実行する場合に、その場面からリーチ演出を実行する。これにより、リーチ演出を終盤は遊技者の期待度が高める場面であり、その場面から実行することで、遊技者を短い時間で興味を引きつけることができる。また、待機画像を表示する際に演出表示装置６０は特殊演出パターンにおけるリーチ演出の蓄積数を明示してもよい。また、待機画像は、リーチ演出の種類を表示せず、蓄積されたリーチ演出の個数を演出表示装置６０に表示する態様であってもよい。
【０１７４】
第１実施例では、中図柄に蓄積画像が半停止すれば、擬似連が継続し、リーチ演出が蓄積される態様を示したが、この態様に限られない。たとえば、特殊演出パターンにおいて左右の図柄がリーチ態様（同じ図柄が停止）となれば、擬似連が継続し、リーチ演出が蓄積される態様であってよい。すなわち、特殊演出パターンにおいて中図柄に蓄積画像が停止しなくとも左右の図柄の停止態様にて、蓄積および擬似連の継続の有無を示す。また、左図柄、中図柄および右図柄を組合せた所定の停止態様である場合に、擬似連が継続し、リーチ演出が蓄積される態様であってよい。
【符号の説明】
【０１７５】
１０  ぱちんこ遊技機、  ５０  遊技盤、  ５２  遊技領域、  ６０  演出表示装置、  １１２  当否抽選手段、  １１４  図柄決定手段、  １１５  変動パターン決定手段、  １１６  保留制御手段、  １２０  特別遊技制御手段、  １３２  演出決定手段、  １３４  演出表示制御手段。
【図１】
0005904654.tif 000002
【図２】
0005904654.tif 000003
【図３】
0005904654.tif 000004
【図４】
0005904654.tif 000005
【図５】
0005904654.tif 000006
【図６】
0005904654.tif 000007
【図７】
0005904654.tif 000008
【図８】
0005904654.tif 000009
【図９】
0005904654.tif 000010
【図１０】
0005904654.tif 000011
【図１１】
0005904654.tif 000012
【図１２】
0005904654.tif 000013
【図１３】
0005904654.tif 000014
【図１４】
0005904654.tif 000015
【図１５】
0005904654.tif 000016
【図１６】
0005904654.tif 000017
【図１７】
0005904654.tif 000018
【図１８】
0005904654.tif 000019
【図１９】
0005904654.tif 000020
【図２０】
0005904654.tif 000021
【図２１】
0005904654.tif 000022
【図２２】
0005904654.tif 000023
【図２３】
0005904654.tif 000024
【図２４】
0005904654.tif 000025
【図２５】
0005904654.tif 000026
【図２６】
0005904654.tif 000027
【図２７】
0005904654.tif 000028
【図２８】
0005904654.tif 000029
【図２９】
0005904654.tif 000030
【図３０】
0005904654.tif 000031
【図３１】
0005904654.tif 000032